(57)【要約】【課題】複数の点光源を導光部材に対して均等に対向させ、点光源から出射された後に導光部材により導光された光による原稿の照明を、原稿の主走査方向に沿って均一に行う。【解決手段】直線状に配列されてコンタクトガラス上の原稿を前記コンタクトガラスの下方から照明する光を出射する複数の点光源３２と、点光源３２から出射される光の出射方向前方に位置付けられて点光源３２から出射された光をコンタクトガラス上の原稿に向けて主走査方向に沿って照明するように導光する導光部材３１と、原稿からの反射光を受光する光電変換素子とを有し、導光部材３１は、ライン状に配列された点光源３２のそれぞれと導光部材３１との間隔が一定となるように位置決めし、及び、点光源３２の配列方向が導光部材３１の長手方向に沿って一致するように位置決めする位置決め手段３７を有している。【選択図】図２
2010178354.tif 000002
【特許請求の範囲】
【請求項１】
直線状に配列され、コンタクトガラス上の原稿を前記コンタクトガラスの下方から照明する光を出射するライン状に配列された複数の点光源と、
前記点光源から出射される光の出射方向前方に位置付けられ、前記点光源から出射された光を前記コンタクトガラス上の原稿に向けて主走査方向に沿って照明するように導光する導光部材と、
原稿からの反射光を受光する光電変換素子と、を有し、
前記導光部材は、ライン状に配列された前記点光源のそれぞれと前記導光部材との間隔が一定となるように位置決めし、及び、前記点光源の配列方向が前記導光部材の長手方向に沿って一致するように位置決めする位置決め手段を有している画像読取装置。
【発明の詳細な説明】
【技術分野】
【０００１】
本発明は、直線状に配列された複数の点光源を有する画像読取装置及びこの画像読取装置を備えた画像形成装置に関する。
【背景技術】
【０００２】
従来、複写機などの画像形成装置に用いられる画像読取装置としては、原稿を照明する複数のＬＥＤ（点光源）を直線状に配列したものが知られている（例えば、特許文献１、２参照）。さらに、複数のＬＥＤを光源とした場合、照明対象物（原稿）におけるＬＥＤの配列方向の照度リップル（照度分布のムラ）の発生を抑制するため、照明対象物と点光源との間に透明樹脂やガラス等からなる導光部材が配置されている。この導光部材は、複数の点光源から出射されて円形に拡散する光を、原稿面に向けて原稿読取時の主走査方向に沿って導光することにより、照度リップルの発生を抑制している。
【発明の概要】
【発明が解決しようとする課題】
【０００３】
しかし、上述した特許文献１、２等に開示された発明では、複数のＬＥＤと導光部材との位置関係がバラツキを生じると、原稿面を主走査方向に沿って均等に照明することができなくなる。
【０００４】
複数のＬＥＤと導光部材との位置関係がバラツキを生じることにより原稿面が主走査方向に沿って均等に照明できなくなる様子を図２０ないし図２２に基づいて説明する。この光読取装置における照明装置は、図２０に示すように、複数のＬＥＤ（点光源）１００を基板１０１上に直線状に配列固定したＬＥＤアレイ基板１０２と、ＬＥＤ１００から出射される光の出射方向前方に位置付けられた導光部材１０３とを有し、これらのＬＥＤアレイ基板１０２と導光部材１０３とがハウジング部材１０４に取り付けられている。
【０００５】
複数のＬＥＤ１００から出射された光は導光部材１０３により導光され、コンタクトガラス１０５上の原稿Ｄの主走査方向に沿って照射される。原稿Ｄからの反射光がミラー１０６やレンズ（図示せず）を介してＣＣＤ（光電変換素子）で読み取られ、原稿Ｄの画像に応じた画像情報が得られる。
【０００６】
図２１は、導光部材１０３とＬＥＤアレイ基板１０２との位置関係が適正位置からずれている場合を示しており、そのずれ方向が、各ＬＥＤ１００と導光部材１０３との間隔がバラツキを生じる方向の場合である。この場合には、各ＬＥＤ１００から出射された後に導光部材１０３に入射される光量が、導光部材１０３とＬＥＤ１００との間隔が小さいところでは多くなり、導光部材１０３とＬＥＤ１００との間隔が大きいところでは少なくなる。このため、導光部材１０３により導光された後に導光部材１０３から出射されて原稿Ｄに照射される光量が、ＬＥＤ１００と導光部材１０３との間隔が小さい側では大きくなり、ＬＥＤ１００と導光部材１０３との間隔が大きい側では小さくなる。図２１に示した矢印は、ＬＥＤ１００から出射された後に導光部材１０３により導光されて原稿Ｄに照射される光を示し、矢印の長短は原稿Ｄに照射される光量の大小を意味している。
【０００７】
図２２は、導光部材１０３とＬＥＤアレイ基板１０２との位置関係が適正位置からずれている場合を示しており、そのずれ方向が、ＬＥＤ１００の配列方向と導光部材１０３の長手方向とが捩れの位置関係となる方向の場合である。この場合には、配列方向の中央部に位置するＬＥＤ１００から出射された光は導光部材１０３内に入射され、導光部材１０３により導光されて原稿Ｄに照射される。しかし、配列方向の両端側に位置するＬＥＤ１００から出射された光は、導光部材１０３内に入射されず、導光部材１０３の長手方向の両端側では原稿Ｄが照明されない。
【０００８】
本発明の目的は、複数の点光源を導光部材に対して均等に対向させ、点光源から出射された後に導光部材により導光された光による原稿の照明を原稿の主走査方向に沿って均一に行うことである。
【課題を解決するための手段】
【０００９】
本発明の画像読取装置は、直線状に配列され、コンタクトガラス上の原稿を前記コンタクトガラスの下方から照明する光を出射するライン状に配列された複数の点光源と、前記点光源から出射される光の出射方向前方に位置付けられ、前記点光源から出射された光を前記コンタクトガラス上の原稿に向けて主走査方向に沿って照明するように導光する導光部材と、原稿からの反射光を受光する光電変換素子と、を有し、前記導光部材は、ライン状に配列された前記点光源のそれぞれと前記導光部材との間隔が一定となるように位置決めし、及び、前記点光源の配列方向が前記導光部材の長手方向に沿って一致するように位置決めする位置決め手段を有している。
【００１０】
好ましい本発明は、前記画像読取装置において、複数の前記点光源を基板にライン状に取り付けた点光源アレイ基板を有し、前記導光部材に設けられてこの導光部材の長手方向と平行に延出して前記点光源アレイ基板が載置される載置面を有する保持部と、前記点光源アレイ基板を前記載置面上に載置することにより前記基板に形成された突き当て面が突き当てられるように前記導光部材に形成された突き当て基準面とにより前記位置決め手段が形成されている。
【００１１】
好ましい本発明は、前記画像読取装置において、複数の前記点光源を基板にライン状に取り付けた点光源アレイ基板を有し、前記導光部材に設けられてこの前記導光部材の長手方向と平行に延出して前記基板が挿入される挿入凹部と、前記基板を前記挿入凹部に挿入することにより前記基板に形成された突き当て面が突き当てられるように前記挿入凹部の奥部に形成された突き当て基準面とにより前記位置決め手段が形成されている。
【００１２】
好ましい本発明は、前記画像読取装置において、複数の前記点光源を基板にライン状に取り付けた点光源アレイ基板を有し、前記導光部材に設けられてこの導光部材の長手方向と平行に延出して前記基板が挿入される挿入凹部と、前記基板を前記挿入凹部に挿入することにより前記点光源の発光面が当接される前記導光部材の入射面とにより前記位置決め手段が形成されている。
【００１３】
好ましい本発明は、前記画像読取装置において、複数の前記点光源を基板にライン状に取り付けた点光源アレイ基板を有し、前記導光部材に設けられてこの導光部材の長手方向と平行に延出して前記点光源アレイ基板が載置される載置面を有する保持部と、前記点光源アレイ基板を前記載置面上に載置することにより前記基板に形成された複数の位置決め孔と対向してこれらの位置決め孔を挿通した固定ネジが螺合されるように前記保持部に形成された複数の取付ネジ孔とにより前記位置決め手段が形成されている。
【００１４】
好ましい本発明は、前記画像読取装置において、前記基板の長手方向の中央部に位置する一つの前記位置決め孔は前記固定ネジの外径寸法と略等しい丸孔形状に形成され、他の前記位置決め孔は前記基板の長手方向に沿った寸法が前記固定ネジの直径より長く形成されて前記基板の短手方向に沿った寸法が前記固定ネジの直径と略等しく形成されている。
【００１５】
好ましい本発明は、前記画像読取装置において、前記導光部材に設けられてこの導光部材の長手方向と平行に延出した載置面を有する保持部と、前記載置面上に形成されて前記点光源が接続される配線パターンとにより前記位置決め手段が形成されている。
【００１６】
好ましい本発明は、前記画像読取装置において、前記点光源が軽圧入される複数の点光源用圧入凹部が形成された保持部材を有し、前記導光部材に設けられてこの導光部材の長手方向と平行に延出した載置面を有してこの載置面上に配線パターンが形成された保持部と、前記点光源用圧入凹部に前記点光源を軽圧入した前記保持部材を前記載置面上に載置して前記点光源を前記配線パターンに接続することにより前記保持部材に形成された突き当て面が突き当てられるように前記導光部材に形成された突き当て基準面とにより前記位置決め手段が形成されている。
【００１７】
好ましい本発明は、前記画像読取装置において、周辺回路素子が軽圧入される周辺回路素子用圧入凹部が前記保持部材に形成され、前記保持部材が前記載置面上に載置されることにより前記周辺回路素子用圧入凹部に軽圧入されている前記周辺回路素子が前記配線パターンに接続されている。
【００１８】
好ましい本発明は、前記画像読取装置において、前記保持部材は、金属により形成されている。
【００１９】
好ましい本発明は、前記画像読取装置において、前記保持部材は、放熱部を有している。
【００２０】
好ましい本発明は、前記画像読取装置において、前記点光源が軽圧入される複数の点光源用圧入凹部が形成された保持部材と、配線パターンが形成された基板とを有し、前記導光部材に設けられてこの導光部材の長手方向と平行に延出して前記基板と前記保持部材とが重ね合わせて載置される載置面を有する保持部と、前記点光源用圧入凹部に軽圧入された前記点光源が前記配線パターンに接続されるように位置付けして前記載置面上に載置された前記基板と前記保持部材とを貫通して位置固定するように前記保持部に固定された位置決めピンとにより前記位置決め手段が形成されている。
【００２１】
好ましい本発明は、前記画像読取装置において、前記位置決めピンは前記保持部と一体に形成されている。
【００２２】
本発明の画像形成装置は、前記のいずれか一の画像読取装置と、この画像読取装置で読み取った画像データに応じて記録媒体上に画像を形成するプリンタエンジンと、を具備する。
【発明の効果】
【００２３】
本発明の画像読取装置によれば、導光部材が位置決め手段を有し、この位置決め手段によって、ライン状に配列された点光源のそれぞれと導光部材との間隔が一定となるように位置決めされ、及び、点光源の配列方向が導光部材の長手方向に沿って一致するように位置決めされるため、各点光源から出射された光を導光部材に均等に入射させることができ、点光源から出射された後に導光部材により導光された光による原稿の照明を原稿の主走査方向に沿って均一に行うことができる。
【００２４】
好ましい本発明の画像読取装置によれば、点光源アレイ基板を保持部の載置面上に載置することにより、複数の点光源と導光部材とを、点光源の配列方向と導光部材の長手方向とが一致するように位置決めできる。また、基板の突き当て面を導光部材の突き当て基準面に突き当てることにより、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。
【００２５】
好ましい本発明の画像読取装置によれば、点光源アレイ基板の基板を導光部材の挿入凹部に挿入することにより、複数の点光源と導光部材とを、点光源の配列方向と導光部材の長手方向とが一致するように位置決めできる。また、基板の突き当て面を挿入凹部の奥部に形成された突き当て基準面に突き当てることにより、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。さらに、本発明によれば、基板を挿入凹部に挿入することにより基板の反りを矯正することができ、基板の反りが原因となって発生する点光源と導光部材との位置ズレを防止することができ、原稿の照明を原稿の主走査方向に沿ってより一層均一に行うことができる。
【００２６】
好ましい本発明の画像読取装置によれば、点光源アレイ基板の基板を導光部材の挿入凹部に挿入することにより、複数の点光源と導光部材とを、点光源の配列方向と導光部材の長手方向とが一致するように位置決めできる。また、点光源の発光面を導光部材の入射面に突き当てることにより、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。さらに、本発明によれば、基板を挿入凹部に挿入することにより基板の反りを矯正することができ、基板の反りが原因となって発生する点光源と導光部材との位置ズレを防止することができ、原稿の照明を原稿の主走査方向に沿ってより一層均一に行うことができる。
【００２７】
好ましい本発明の画像読取装置によれば、点光源アレイ基板を保持部の載置面上に載置することにより、複数の点光源と導光部材とを、点光源の配列方向と導光部材の長手方向とが一致するように位置決めできる。また、保持部に形成した取付ネジ孔と基板に形成した位置決め孔とを対向させ、位置決め孔に挿通した固定ネジを取付ネジ孔に螺合させることにより、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。
【００２８】
好ましい本発明の画像読取装置によれば、基板の長手方向の中央部に位置する一つの位置決め孔は固定ネジの外径寸法と略等しい丸孔形状に形成され、他の位置決め孔は基板の長手方向に沿った寸法が固定ネジの直径より長く形成されて基板の短手方向に沿った寸法が固定ネジの直径と略同じに形成されているので、温度変化に伴って保持部と基板との間に熱膨張差が発生しても、その熱膨張差が原因となる保持部又は基板の反りの発生を防止することができ、熱膨張差による反りが原因となって発生する点光源と導光部材との位置ズレを防止することができ、原稿の照明を原稿の主走査方向に沿ってより一層均一に行うことができる。
【００２９】
好ましい本発明の画像読取装置によれば、導光部材に設けられてこの導光部材の長手方向と平行に延出した載置面上に配線パターンを形成し、この配線パターンに複数の点光源を接続することにより、複数の点光源と導光部材とを、点光源の配列方向と導光部材の長手方向とが一致するように位置決めでき、しかも、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。
【００３０】
好ましい本発明の画像読取装置によれば、点光源用圧入凹部に点光源を軽圧入した保持部材を保持部の載置面上に載置して点光源を配線パターンに接続することにより、点光源への通電が可能となり、複数の点光源と導光部材とを、点光源の配列方向と導光部材の長手方向とが一致するように位置決めできる。また、保持部材の突き当て面を導光部材の突き当て基準面に突き当てることにより、点光源のそれぞれと導光部材との間隔が一定となるように位置決めできる。このため、各点光源から出射された光を導光部材に均等に入射させることができ、点光源から出射された後に導光部材により導光された光による原稿の照明を原稿の主走査方向に沿って均一に行うことができる。さらに、本発明によれば、点光源は保持部材の点光源用圧入凹部に軽圧入されているだけなので、ある点光源が故障した場合にはその故障した点光源のみを交換することができ、複数の点光源を全体として交換したり、導光部材を含めた複数の点光源を全体として交換したりする必要がなく、点光源が故障したときのメンテナンスを安価に行える。
【００３１】
好ましい本発明の画像読取装置によれば、点光源を点光源用圧入凹部に軽圧入し、及び、周辺回路素子を周辺回路素子用圧入凹部に軽圧入した保持部材を保持部の載置面上に載置して点光源と周辺回路素子とを配線パターンに接続することにより、点光源と周辺回路素子とへの通電が可能となり、請求項８記載の発明と同じ効果を奏する。さらに、本発明によれば、周辺回路素子は保持部材の周辺回路素子用圧入凹部に軽圧入されているだけなので、ある周辺回路素子が故障した場合にはその故障した周辺回路素子のみを交換することができる。さらに、本発明によれば、導光部材の保持部の載置面上には配線パターンのみを形成するだけであって周辺回路素子を半田付けする作業を不要とすることができる。
【００３２】
好ましい本発明の画像読取装置によれば、保持部材が金属により形成されているので、点光源や周辺回路素子から発生した熱の伝熱性及び放熱性を向上させることができ、熱の影響による点光源や周辺回路素子の性能低下を防止できる。
【００３３】
好ましい本発明の画像読取装置によれば、保持部材が放熱部を有するので、点光源や周辺回路素子から発生した熱の放熱性を向上させることができ、熱の影響による点光源や周辺回路素子の性能低下を防止できる。
【００３４】
好ましい本発明の画像読取装置によれば、点光源用圧入凹部に点光源を軽圧入した保持部材と基板とを保持部の載置面上に載置することにより、複数の点光源と導光部材とを、点光源の配列方向と導光部材の長手方向とが一致するように位置決めできる。また、載置面上に載置された保持部材と基板とを保持部に固定された位置決めピンで位置固定することにより、点光源のそれぞれと導光部材との間隔が一定となるように位置決めできる。このため、各点光源から出射された光を導光部材に均等に入射させることができ、点光源から出射された後に導光部材により導光された光による原稿の照明を原稿の主走査方向に沿って均一に行うことができる。さらに、本発明によれば、専用の基板に配線パターンを形成しているので、保持部の載置面に配線パターンを形成するという特殊加工が不要となり、生産性を向上させることができる。
【００３５】
好ましい本発明の画像読取装置によれば、位置決めピンが保持部と一体に形成されているので、この位置決めピンによる保持部材と保持部との位置決め精度を高めることができ、原稿の照明を原稿の主走査方向に沿ってより一層均一に行うことができる。
【００３６】
本発明の画像形成装置によれば、前記いずれかの画像読取装置を備えているので、この画像読取装置による安定した画像読取結果に応じて画像形成を行うことができ、形成される画像品質の向上を図ることができる。
【図面の簡単な説明】
【００３７】
【図１】本発明の第１の実施の形態の画像形成装置であるフルカラーの複写機の内部構造を示す概略正面図である。
【図２】照明装置の構造を示す斜視図である。
【図３】照明装置の構造を示す縦断正面図である。
【図４】本発明の第２の実施の形態における照明装置の構造を示す斜視図である。
【図５】照明装置の構造を示す縦断正面図である。
【図６】本発明の第３の実施の形態における照明装置の構造を示す斜視図である。
【図７】照明装置の構造を示す縦断正面図である。
【図８】本発明の第４の実施の形態における照明装置の構造を示す斜視図である。
【図９】位置決め手段の一部を示す縦断側面図である。
【図１０】位置決め手段の他の一部を示す縦断側面図である。
【図１１】本発明の第５の実施の形態における照明装置の構造を示す斜視図である。
【図１２】照明装置の構造を示す縦断正面図である。
【図１３】本発明の第６の実施の形態における照明装置の構造を示す分解斜視図である。
【図１４】照明装置の構造を示す縦断正面図である。
【図１５】本発明の第７の実施の形態における照明装置の構造を示す分解斜視図である。
【図１６】照明装置の構造を示す縦断正面図である。
【図１７】本発明の第８の実施の形態における照明装置の構造を示す縦断正面図である。
【図１８】本発明の第９の実施の形態における照明装置の構造を示す縦断正面図である。
【図１９】本発明の第１０の実施の形態における照明装置の構造を示す縦断正面図である。
【図２０】従来例の照明装置の構造を示す縦断正面図である。
【図２１】従来例の照明装置において、導光部材とＬＥＤアレイ基板とが、ＬＥＤと導光部材との間隔がバラツキを生じる方向にずれを生じた場合を示す斜視図である。
【図２２】従来例の照明装置において、導光部材とＬＥＤアレイ基板とが、ＬＥＤの配列方向と導光部材の長手方向とが捩れの位置関係となる方向にずれを生じた場合を示す斜視図である。
【発明を実施するための形態】
【００３８】
本発明の第１の実施の形態を図１ないし図３に基づいて説明する。図１は本発明が適用される画像形成装置であるフルカラーの複写機１の内部構造を示す概略正面図である。図２は照明装置の構造を示す斜視図、図３は照明装置の構造を示す縦断正面図である。
【００３９】
複写機１の装置本体２内の中央部にはカラー画像を形成するためのプリンタエンジン３が設けられている。このプリンタエンジン３は、等間隔に離間させて水平向きに並列に配設された４つのドラム状の感光体４、感光体４の外周面を一様に帯電する帯電ローラ５、帯電ローラ５により帯電された各感光体４の外周面を画像データに応じて露光することにより静電潜像を形成する露光装置６、静電潜像にトナーを供給することにより静電潜像をトナー画像として顕像化する現像装置７、感光体４上のトナー画像が順次転写される中間転写ベルト８、中間転写ベルト８上へのトナー画像の転写後に感光体４上に残留したトナーを除去するクリーニング装置９、中間転写ベルト８上に転写されたトナー画像を記録媒体Ｓに転写させる転写ローラ１０等により構成されている。なお、４つの感光体４上にはそれぞれ異なる色のトナー画像（Ｙ；イエロー、Ｍ；マゼンタ、Ｃ；シアン、Ｋ；ブラック）が形成され、これらの各色のトナー画像が中間転写ベルト８上に順次転写されることにより中間転写ベルト８上にカラーのトナー画像が形成され、このカラーのトナー画像が記録媒体Ｓに転写される。
【００４０】
装置本体２の上部には、後述する照明装置により照明される照明対象物である原稿Ｄを自動送りするＡＤＦ１１と、後述する照明装置により照明される原稿Ｄが載置されるコンタクトガラス１２と、ＡＤＦ１１で自動送りされた原稿Ｄ又はコンタクトガラス１２上に載置された原稿Ｄを読取る画像読取装置１３とが配置されている。
【００４１】
画像読取装置１３は、コンタクトガラス１２と平行に２：１の速度で走行可能な第１・第２走行体１４、１５、レンズ１６、ＣＣＤ（光電変換素子）１７等により構成されている。第１走行体１４には、コンタクトガラス１２上に載置された原稿Ｄ、又は、ＡＤＦ１１により搬送されてコンタクトガラス１２上を通過する原稿Ｄをコンタクトガラス１２の下方から照明するための照明装置１８と、原稿Ｄで反射されて読取光軸に沿って進行する読取光を反射させる第１ミラー１９とが搭載されている。第２走行体１５には、第１ミラー１９で反射された光をさらに反射させる第２ミラー２０と第３ミラー２１とが搭載されている。第１〜第３ミラー１９、２０、２１で順次反射された読取光の進行方向前方には、レンズ１６とＣＣＤ１７とが配置されている。ＣＣＤ１７は、照明装置１８から出射されて原稿Ｄに照射された後に原稿Ｄで反射された反射光（読取光）を受光する。
【００４２】
装置本体２内の下部には、記録媒体Ｓを収納する複数段、例えば４段の用紙カセット２２が設けられている。これらの用紙カセット２２内に収納された記録媒体Ｓはピックアップローラ２３とフィードローラ２４とにより一枚ずつ分離給紙され、分離給紙された記録媒体Ｓは装置本体２内に設けられた用紙搬送路２５に沿って搬送される。この用紙搬送路２５上には、レジストローラ２６、転写ローラ１０、定着装置２７、排紙ローラ２８等が配置されている。
【００４３】
レジストローラ２６は、記録媒体Ｓの搬送タイミングと中間転写ベルト８への画像形成タイミングとに応じて間欠的に回転駆動される。そして、回転を停止することにより用紙搬送路２５を搬送される記録媒体Ｓを一旦停止させ、回転することにより記録媒体Ｓを送り出す。レジストローラ２６の回転により送り出された記録媒体Ｓは、中間転写ベルト８と転写ローラ１０とにより挟持される転写位置に送り込まれる。
【００４４】
定着装置２７は、トナー画像が転写された記録媒体Ｓに対して熱と圧力とを加え、トナーを溶融させることによりトナー画像を記録媒体Ｓに定着させる。
【００４５】
このような構成において、この複写機１における画像形成動作は、以下のように行われる。
【００４６】
まず、プリンタエンジン３においてトナー画像の形成が開始される。このトナー画像の形成時には、最初に、コンタクトガラス１２上に載置され、又は、ＡＤＦ１１により自動送りされる原稿Ｄの画像が画像読取装置１３により読み取られる。その読取結果に応じて露光装置６の４つの半導体レーザから各色（イエローＹ、マゼンタＭ、シアンＣ、ブラックＫ）の画像データに応じたレーザ光が出射され、それらのレーザ光が帯電ローラ５により一様に帯電された各感光体４の外周面を露光することにより各感光体４の外周面に静電潜像が形成される。これらの静電潜像に対して各現像装置７から各色のトナーが供給され、各感光体４ごとにそれぞれ異なる色のトナー画像が形成される。各感光体４上のトナー画像は、感光体４の回転と同期して移動する中間転写ベルト８上に順次転写され、中間転写ベルト８上にはカラーのトナー画像が形成される。
【００４７】
一方、プリンタエンジン３でのトナー画像の形成動作の開始と相前後して用紙カセット２２内から記録媒体Ｓの分離給紙が開始され、分離給紙されて用紙搬送路２５上を搬送された記録媒体Ｓは間歇的に回転駆動するレジストローラ２６によりタイミングを計られて中間転写ベルト８と転写ローラ１０との間の転写位置に送り込まれる。
【００４８】
記録媒体Ｓが中間転写ベルト８と転写ローラ１０との間の転写位置に送り込まれることにより、中間転写ベルト８上のカラーのトナー画像が記録媒体Ｓ上に転写される。カラーのトナー画像が転写された記録媒体Ｓは引き続き用紙搬送路２５上を搬送され、記録媒体Ｓが定着装置２７を通過する過程でカラーのトナー画像が記録媒体Ｓに定着される。カラーのトナー画像が定着された記録媒体Ｓは排紙ローラ２８によって排紙トレイ２９上に排紙される。
【００４９】
このような基本的な構成の下、本実施の形態の照明装置１８は図２及び図３に示すように、点光源アレイ基板であるＬＥＤアレイ基板３０と、導光部材３１とを有している。ＬＥＤアレイ基板３０は、複数の点光源であるＬＥＤ３２と、複数のＬＥＤ３２が所定の等ピッチで直線状に配列固定された長尺状の基板３３とを有している。複数のＬＥＤ３２は、基板３３の長手方向に沿って配列され、この配列方向は、照明装置１８を画像読取装置１３内に組み込んで画像読取を行う際に原稿Ｄの主走査方向と一致する方向とされている。また、基板３３には、固定したＬＥＤ３２を通電可能に接続する配線パターン（図示せず）が形成されている。さらに、図示を省略してあるが、このＬＥＤアレイ基板３０には、電流制限抵抗などを含む周辺回路素子が配線パターンに接続して固定されている。なお、本実施の形態では、ＬＥＤ３２を直線状に１ライン設けた場合を例に挙げて説明しているが、画像読取時に原稿Ｄの主走査方向に一致する方向に沿った複数ラインのＬＥＤを設けてもよい。
【００５０】
導光部材３１は、透明な樹脂（アクリル、ポリカーボネート等）やガラスを材料として形成されており、ＬＥＤ３２から原稿Ｄに向けて出射される光の出射方向前方に位置付けられている。導光部材３１は、ＬＥＤ３２から出射された光が入射する入射面３１ａと、入射した光を原稿Ｄに向けて原稿Ｄの主走査方向に沿って出射させる出射面３１ｂとを有し、ＬＥＤ３２の配列方向に沿って延出する長尺形状に形成されている。
【００５１】
導光部材３１における入射面３１ａ側には、保持部３４が一体に形成されている。この保持部３４はＬＥＤアレイ基板３０を保持する部分であり、導光部材３１の長手方向に沿って延出する形状に形成され、導光部材３１の長手方向と平行であって入射面３１ａに対して直角に交差する載置面３４ａが形成されている。ＬＥＤアレイ基板３０は、基板３３の底面を載置面３４ａに載置する向きに保持部３４に取り付けられている。基板３３の底面と載置面３４ａとは、接着剤で接着され、又は、両面テープで貼り付けられることにより、保持部３４に対してＬＥＤアレイ基板３０が固定されている。
【００５２】
導光部材３１の入射面３１ａの一部であって載置面３４ａに近接した領域は、突き当て基準面３５とされている。基板３３における長手方向に沿った一面であってＬＥＤアレイ基板３０を載置面３４ａ上に載置することにより突き当て基準面３５に対向する面は、突き当て基準面３５に突き当てられる突き当て面３６とされている。そして、導光部材３１には、載置面３４ａを有する保持部３４と、突き当て基準面３５とにより、ライン状に配列されたＬＥＤ３２のそれぞれと導光部材３１との間隔が一定となるように位置決めし、及び、ＬＥＤ３２の配列方向が導光部材３１の長手方向に沿って一致するように位置決めする位置決め手段３７が形成されている。
【００５３】
このような構成において、図２及び図３は、ＬＥＤアレイ基板３０が保持部３４の載置面３４ａ上に載置され、ＬＥＤアレイ基板３０を接着剤又は両面テープで保持部３４に固定されている。このとき、基板３３の底面が保持部３４の載置面３４ａ上に載置され、基板３３の突き当て面３６が導光部材３１の突き当て基準面３５に突き当てられている。
【００５４】
ここで、載置面３４ａは導光部材３１の長手方向と平行に延出した面であるので、この載置面３４ａ上にＬＥＤアレイ基板３０を載置することにより、複数のＬＥＤ３２と導光部材３１とを、ＬＥＤ３２の配列方向と導光部材３１の長手方向とが一致するように位置決めできる。また、基板３３の突き当て面３６を導光部材３１の突き当て基準面３５に突き当てることにより、各ＬＥＤ３２と導光部材３１の入射面３１ａとをその間隔が一定となるように位置決めできる。このため、各ＬＥＤ３２から出射された光が導光部材３１の入射面３１ａに均等に入射され、ＬＥＤ３２から出射された後に導光部材３１により導光されて出射面３１ｂから出射された光による原稿Ｄの照明を原稿Ｄの主走査方向に沿って均一に行うことができる。これにより、ＣＣＤ１７で受光する光の受光性能が向上し、画像読取装置１３による読取結果に基づいてプリンタエンジン３で形成される画像の品質を向上させることができる。
【００５５】
本実施の形態において、導光部材３１の出射面３１ｂの長手方向と直交する方向（画像読取時に副走査方向）の幅寸法を"Ａ"とするとき、その幅寸法"Ａ"の略中央となる位置でＬＥＤ３２が入射面３１ａに対向するようにＬＥＤアレイ基板３０の固定位置を位置決めすることが好ましい。
【００５６】
なお、本実施の形態では、保持部３４を導光部材３１と一体に形成した場合を例に挙げて説明したが、保持部を導光部材と別体に形成し、その保持部を導光部材に固定する構造としてもよい。
【００５７】
本発明の第２の実施の形態を図４及び図５に基づいて説明する。なお、本実施の形態及びそれ以降に説明する各実施の形態において、先行して説明した実施の形態と同じ部分は同じ符号で示し、説明も省略する。図４は照明装置の構造を示す斜視図、図５は照明装置の構造を示す縦断正面図である。
【００５８】
本実施の形態では、コンタクトガラス１２上の原稿Ｄをコンタクトガラス１２の下方から照明するための照明装置４０が設けられている。そして、この照明装置４０と、照明装置４０から出射されて原稿Ｄに照射された後に原稿Ｄで反射された反射光（読取光）を読み取るＣＣＤ１７（図１参照）とにより画像読取装置１３（図１参照）が形成されている。
【００５９】
照明装置４０は、ＬＥＤアレイ基板３０と、導光部材３１とを有している。ＬＥＤアレイ基板３０は、複数のＬＥＤ３２と、複数のＬＥＤ３２が所定の等ピッチで直線状に配列固定された長尺状の基板３３とを有している。複数のＬＥＤ３２は、基板３３の長手方向に沿って配列され、この配列方向は、照明装置４０を画像読取装置１３内に組み込んで画像読取を行う際に原稿Ｄの主走査方向と一致する方向とされている。
【００６０】
導光部材３１は、透明な樹脂（アクリル、ポリカーボネート等）やガラスを材料として形成されており、ＬＥＤ３２から原稿Ｄに向けて出射される光の出射方向前方に位置付けられている。導光部材３１は、ＬＥＤ３２から出射された光が入射する入射面３１ａと、入射した光を原稿Ｄに向けて原稿Ｄの主走査方向に沿って出射させる出射面３１ｂとを有し、ＬＥＤ３２の配列方向に沿って延出する長尺形状に形成されている。
【００６１】
導光部材３１における入射面３１ａ側には、保持部３４が一体に形成されている。この保持部３４はＬＥＤアレイ基板３０を保持する部分であり、導光部材３１の長手方向に沿って延出する形状に形成され、導光部材３１の長手方向と平行であって入射面３１ａに対して直角に交差する載置面３４ａが形成されている。ＬＥＤアレイ基板３０は、基板３３の底面を載置面３４ａに載置する向きに保持部３４に取り付けられている。
【００６２】
導光部材３１の入射面３１ａ側には、載置面３４ａと面一となる底面を有し、導光部材３１の長手方向と平行に延出した挿入凹部４１が形成されている。挿入凹部４１は、高さ寸法"Ｂ"が基板３３の厚み寸法より僅かに大きく形成され、基板３３の長手方向に沿った片側が挿入凹部４１に挿入されることにより導光部材３１へのＬＥＤアレイ基板３０の固定が行われている。
【００６３】
挿入凹部４１の奥部の面は突き当て基準面４２とされ、導光部材３１の長手方向と平行に延出した面とされている。基板３３における長手方向に沿った一面であって挿入凹部４１に挿入される側の面は、基板３３を挿入凹部４１に挿入することにより突き当て基準面４２に突き当てられる突き当て面４３とされている。そして、挿入凹部４１と、突き当て基準面４２とにより、ライン状に配列されたＬＥＤ３２のそれぞれと導光部材３１との間隔が一定となるように位置決めし、及び、ＬＥＤ３２の配列方向が導光部材３１の長手方向に沿って一致するように位置決めする位置決め手段４４が形成されている。
【００６４】
このような構成において、図４及び図５は、基板３３を挿入凹部４１に挿入し、基板３３の突き当て面４３を挿入凹部４１の奥部に形成された突き当て基準面４２に突き当てることによりＬＥＤアレイ基板３０を導光部材３１に固定した状態である。この状態において、基板３３の底面は保持部３４の載置面３４ａに接触している。
【００６５】
ここで、挿入凹部４１は導光部材３１の長手方向と平行に延出して形成されているので、この挿入凹部４１にＬＥＤアレイ基板３０の基板３３を挿入することにより、複数のＬＥＤ３２と導光部材３１とを、ＬＥＤ３２の配列方向と導光部材３１の長手方向とが一致するように位置決めできる。また、基板３３の突き当て面４３を挿入凹部４１の奥部に形成された突き当て基準面４２に突き当てることにより、各ＬＥＤ３２と導光部材３１の入射面３１ａとをその間隔が一定となるように位置決めできる。このため、各ＬＥＤ３２から出射された光が導光部材３１の入射面３１ａに均等に入射され、ＬＥＤ３２から出射された後に導光部材３１により導光されて出射面３１ｂから出射された光による原稿Ｄの照明を原稿Ｄの主走査方向に沿って均一に行うことができる。これにより、ＣＣＤ１７で受光する光の受光性能が向上し、画像読取装置１３による読取結果に基づいてプリンタエンジン３で形成される画像の品質を向上させることができる。
【００６６】
さらに、本実施の形態によれば、基板３３を挿入凹部４１に挿入することにより基板３３の反りを矯正することができ、基板３３の反りが原因となって発生するＬＥＤ３２と導光部材３１との位置ズレを防止することができる。これにより、原稿Ｄの照明を原稿Ｄの主走査方向に沿ってより一層均一に行うことができる。
【００６７】
本発明の第３の実施の形態を図６及び図７に基づいて説明する。図６は照明装置の構造を示す斜視図、図７は照明装置の構造を示す縦断正面図である。
【００６８】
本実施の形態では、コンタクトガラス１２上の原稿Ｄをコンタクトガラス１２の下方から照明するための照明装置５０が設けられている。そして、この照明装置５０と、照明装置５０から出射されて原稿Ｄに照射された後に原稿Ｄで反射された反射光（読取光）を受光するＣＣＤ１７（図１参照）とにより画像読取装置１３（図１参照）が形成されている。
【００６９】
照明装置５０は、ＬＥＤアレイ基板３０と、導光部材３１とを有している。ＬＥＤアレイ基板３０は、複数のＬＥＤ３２と、複数のＬＥＤ３２が所定の等ピッチで直線状に配列固定された長尺状の基板３３とを有している。複数のＬＥＤ３２は、基板３３の長手方向に沿って配列され、この配列方向は、照明装置５０を画像読取装置１３内に組み込んで画像読取を行う際に原稿Ｄの主走査方向と一致する方向とされている。
【００７０】
導光部材３１は、入射面３１ａと出射面３１ｂとを有し、ＬＥＤ３２の配列方向に沿って延出する長尺形状に形成されている。また、導光部材３１には、保持部３４、挿入凹部４１が形成されている。挿入凹部４１は、高さ寸法"Ｂ"が基板３３の厚み寸法より僅かに大きく形成され、基板３３の長手方向に沿った片側が挿入凹部４１に挿入されることにより導光部材３１へのＬＥＤアレイ基板３０の固定が行われている。
【００７１】
基板３３を挿入凹部４１に挿入して導光部材３１にＬＥＤアレイ基板３０を固定することにより、挿入凹部４１の入り口側縁部に位置付けられている導光部材３１の入射面３１ａに、ＬＥＤ３２の発光面３２ａが突き当てられる。そして、挿入凹部４１と、挿入凹部４１の入り口側縁部に位置付けられた導光部材３１の入射面３１ａとにより、ライン状に配列されたＬＥＤ３２のそれぞれと導光部材３１との間隔が一定となるように位置決めし、及び、ＬＥＤ３２の配列方向が導光部材３１の長手方向に沿って一致するように位置決めする位置決め手段５１が形成されている。
【００７２】
このような構成において、図６及び図７は、基板３３を挿入凹部４１に挿入し、ＬＥＤ３２の発光面３２ａを挿入凹部４１の入り口側縁部に位置付けられている導光部材３１の入射面３１ａに突き当てることによりＬＥＤアレイ基板３０を導光部材３１に固定した状態である。この状態において、基板３３の底面は保持部３４の載置面３４ａに接触している。
【００７３】
ここで、挿入凹部４１は導光部材３１の長手方向と平行に延出して形成されているので、この挿入凹部４１にＬＥＤアレイ基板３０の基板３３を挿入することにより、複数のＬＥＤ３２と導光部材３１とを、ＬＥＤ３２の配列方向と導光部材３１の長手方向とが一致するように位置決めできる。また、ＬＥＤ３２の発光面３２ａを導光部材３１の入射面３１ａに突き当てることにより、各ＬＥＤ３２の発光面３２ａと導光部材３１の入射面３１ａとをその間隔が一定（離間寸法が"０"）となるように位置決めできる。このため、各ＬＥＤ３２から出射された光が導光部材３１に均等に入射され、ＬＥＤ３２から出射された後に導光部材３１により導光された光による原稿Ｄの照明を原稿Ｄの主走査方向に沿って均一に行うことができる。これにより、ＣＣＤ１７で受光する光の受光性能が向上し、画像読取装置１３による読取結果に基づいてプリンタエンジン３で形成される画像の品質を向上させることができる。
【００７４】
さらに、本実施の形態によれば、基板３３を挿入凹部４１に挿入することにより基板３３の反りを矯正することができ、基板３３の反りが原因となって発生するＬＥＤ３２と導光部材３１との位置ズレを防止することができる。これにより、原稿Ｄの照明を原稿Ｄの主走査方向に沿ってより一層均一に行うことができる。
【００７５】
本発明の第４の実施の形態を図８ないし図１０に基づいて説明する。図８は照明装置の構造を示す斜視図、図９は位置決め手段の一部を示す縦断側面図、図１０は位置決め手段の他の部分の一部を示す縦断側面図である。
【００７６】
本実施の形態では、コンタクトガラス１２上の原稿Ｄをコンタクトガラス１２の下方から照明するための照明装置５５が設けられている。そして、この照明装置５５と、照明装置５５から出射されて原稿Ｄに照射された後に原稿Ｄで反射された反射光（読取光）を受光するＣＣＤ１７（図１参照）とにより画像読取装置１３（図１参照）が形成されている。
【００７７】
照明装置５５は、ＬＥＤアレイ基板３０と、導光部材３１とを有している。ＬＥＤアレイ基板３０は、複数のＬＥＤ３２と、複数のＬＥＤ３２が所定の等ピッチで直線状に配列固定された長尺状の基板３３とを有している。複数のＬＥＤ３２は、基板３３の長手方向に沿って配列され、この配列方向は、照明装置５５を画像読取装置１３内に組み込んで画像読取を行う際に原稿Ｄの主走査方向と一致する方向とされている。
【００７８】
導光部材３１における入射面３１ａ側には、保持部３４が一体に形成されている。この保持部３４はＬＥＤアレイ基板３０を保持する部分であり、導光部材３１の長手方向に沿って延出する形状に形成され、導光部材３１の長手方向と平行であって入射面３１ａに対して直角に交差する載置面３４ａが形成されている。ＬＥＤアレイ基板３０は、基板３３の底面を載置面３４ａに載置する向きに保持部３４に取り付けられている。
【００７９】
保持部３４には、導光部材３１の長手方向に沿って複数の取付ネジ孔５６が形成されている。基板３３には、ＬＥＤアレイ基板３０を保持部３４で保持することにより取付ネジ孔５６に対向するように位置付けられた複数の位置決め孔５７（５７ａ、５７ｂ）が形成されている。載置面３４ａ上にＬＥＤアレイ基板３０を載置し、位置決め孔５７と取付ネジ孔５６とを上下方向で位置合わせし、位置決め孔５７に挿通させた固定ネジ５８を取付ネジ孔５６に螺合させることにより、保持部３４に対してＬＥＤアレイ基板３０が固定されている。そして、載置面３４ａを有する保持部３４と、取付ネジ孔５６を挿通した固定ネジ５８が螺合される取付ネジ孔５６とにより、ライン状に配列されたＬＥＤ３２のそれぞれと導光部材３１との間隔が一定となるように位置決めし、及び、ＬＥＤ３２の配列方向が導光部材３１の長手方向に沿って一致するように位置決めする位置決め手段５１が形成されている。
【００８０】
複数の位置決め孔５７（５７ａ、５７ｂ）のうち、基板３３の長手方向の中央部に位置する一つの位置決め孔５７ａは、固定ネジ５８の外径寸法と略等しい丸孔形状に形成されている。他の位置決め孔５７ｂは、基板３３の長手方向に沿った寸法が固定ネジ５８の直径より長く形成され、基板３３の短手方向（長手方向と直交する方向）に沿った寸法が固定ネジ５８の直径と略同じに形成されている。
【００８１】
このような構成において、図８は、ＬＥＤアレイ基板３０を保持部３４の載置面３４ａ上に載置し、取付ネジ孔５６と位置決め孔５７とを対向させ、位置決め孔５７に挿通した固定ネジ５８を取付ネジ孔５６に螺合させることによりＬＥＤアレイ基板３０を保持部３４に固定した状態である。
【００８２】
ここで、載置面３４ａは導光部材３１の長手方向と平行に延出した面であるので、この載置面３４ａ上にＬＥＤアレイ基板３０を載置することにより、複数のＬＥＤ３２と導光部材３１とを、ＬＥＤ３２の配列方向と導光部材３１の長手方向とが一致するように位置決めできる。また、保持部３４に形成した取付ネジ孔５６と基板３３に形成した位置決め孔５７とを対向させ、位置決め孔５７に挿通した固定ネジ５８を取付ネジ孔５６に螺合させることにより、各ＬＥＤ３２と導光部材３１の入射面３１ａとをその間隔が一定となるように位置決めできる。このため、各ＬＥＤ３２から出射された光が導光部材３１に均等に入射され、ＬＥＤ３２から出射された後に導光部材３１により導光された光による原稿Ｄの照明を原稿Ｄの主走査方向に沿って均一に行うことができる。これにより、ＣＣＤ１７で受光する光の受光性能が向上し、画像読取装置１３による読取結果に基づいてプリンタエンジン３で形成される画像の品質を向上させることができる。
【００８３】
さらに、本実施の形態では、基板３３の長手方向の中央部に位置する一つの位置決め孔５７ａが、固定ネジ５８の外径寸法と略等しい丸孔形状に形成され、他の位置決め孔５７ｂが、基板３３の長手方向に沿った寸法が固定ネジ５８の直径より長く形成されて基板３３の短手方向に沿った寸法が固定ネジ５８の直径と略同じに形成されている。このため、温度変化に伴って保持部３４と基板３３とに間に熱膨張差（基板３３、保持部３４の長手方向に沿った方向の熱膨張差）が発生しても、その熱膨張差を位置決め孔５７ｂの内周面と固定ネジ５８の外周面との間に存在する隙間（基板３３、保持部３４の長手方向に沿って存在する隙間）によって吸収することができる。そして、保持部３４と基板３３との間の熱膨張差が原因となる保持部３４又は基板３３の反りの発生を防止することができ、熱膨張差による反りが原因となって発生するＬＥＤ３２と導光部材３１との位置ズレを防止することができる。これにより、原稿Ｄの照明を原稿Ｄの主走査方向に沿ってより一層均一に行うことができる。
【００８４】
なお、位置決め孔５７ｂに挿通されている固定ネジ５８の頭部と基板３３の上面との間には、熱膨張差が生じた場合に固定ネジ５８と基板３３とが相対的に移動することを容易にするための微小ギャップＧ（図１０参照）を設けることが好ましい。
【００８５】
本発明の第５の実施の形態を図１１及び図１２に基づいて説明する。図１１は照明装置の構造を示す斜視図、図１２は照明装置の構造を示す縦断正面図である。
【００８６】
本実施の形態では、コンタクトガラス１２上の原稿Ｄをコンタクトガラス１２の下方から照明するための照明装置６０が設けられている。そして、この照明装置６０と、照明装置６０から出射されて原稿Ｄに照射された後に原稿Ｄで反射された反射光（読取光）を受光するＣＣＤ１７（図１参照）とにより画像読取装置１３（図１参照）が形成されている。
【００８７】
照明装置６０は、複数のＬＥＤ３２と導光部材３１とを有している。導光部材３１における入射面３１ａ側には、保持部３４が一体に形成されている。保持部３４は、導光部材３１の長手方向に沿って延出する形状に形成され、導光部材３１の長手方向と平行であって入射面３１ａに対して直角に交差する載置面３４ａが形成されている。
【００８８】
保持部３４の載置面３４ａ上には、配線パターン６１が形成され、配線パターン６１には複数のＬＥＤ３２と電流制限抵抗などの複数の周辺回路素子６２とが接続されている。これらのＬＥＤ３２と周辺回路素子６２とは配線パターン６１上の所定位置に位置決めされ、半田付けされて保持部３４に実装されている。そして、載置面３４ａを有する保持部３４と、載置面３４ａ上に形成されてＬＥＤ３２や周辺回路素子６２が接続される配線パターン６１とにより、ライン状に配列されたＬＥＤ３２のそれぞれと導光部材３１との間隔が一定となるように位置決めし、及び、ＬＥＤ３２の配列方向が導光部材３１の長手方向に沿って一致するように位置決めする位置決め手段６３が形成されている。
【００８９】
このような構成において、本実施の形態では、導光部材３１と一体に形成されている保持部３４に配線パターン６１を形成し、この配線パターン６１に接続したＬＥＤ３２と周辺回路素子６２とを保持部３４に実装している。
【００９０】
ここで、導光部材３１と一体に形成されてこの導光部材３１の長手方向と平行に延出した保持部３４の載置面３４ａ上に配線パターン６１が形成され、この配線パターン６１に複数のＬＥＤ３２を接続していることにより、複数のＬＥＤ３２と導光部材３１とを、ＬＥＤ３２の配列方向と導光部材３１の長手方向とが一致するように位置決めでき、しかも、各ＬＥＤ３２と導光部材３１の入射面３１ａとをその間隔が一定となるように位置決めできる。このため、各ＬＥＤ３２から出射された光が導光部材３１の入射面３１ａに均等に入射され、ＬＥＤ３２から出射された後に導光部材３１により導光されて出射面３１ｂから出射された光による原稿Ｄの照明を原稿Ｄの主走査方向に沿って均一に行うことができる。これにより、ＣＣＤ１７で受光する光の受光性能が向上し、画像読取装置１３による読取結果に基づいてプリンタエンジン３で形成される画像の品質を向上させることができる。
【００９１】
本発明の第６の実施の形態を図１３及び図１４に基づいて説明する。図１３は照明装置の構造を示す分解斜視図、図１４は照明装置の構造を示す縦断正面図である。
【００９２】
本実施の形態では、コンタクトガラス１２上の原稿Ｄをコンタクトガラス１２の下方から照明するための照明装置６５が設けられている。そして、この照明装置６５と、照明装置６５から出射されて原稿Ｄに照射された後に原稿Ｄで反射された反射光（読取光）を受光するＣＣＤ１７（図１参照）とにより画像読取装置１３（図１参照）が形成されている。
【００９３】
照明装置６５は、複数のＬＥＤ３２と、導光部材３１と、ＬＥＤ３２を保持する保持部材６６とを有している。導光部材３１における入射面３１ａ側には、保持部３４が一体に形成されている。保持部３４は、導光部材３１の長手方向に沿って延出する形状に形成され、導光部材３１の長手方向と平行であって入射面３１ａに対して直角に交差する載置面３４ａが形成されている。
【００９４】
保持部３４の載置面３４ａ上には配線パターン６１が形成され、配線パターン６１には電流制限抵抗などの複数の周辺回路素子６２が接続され、これらの周辺回路素子６２は配線パターン６１上の所定位置に位置決めされ、半田付けされて保持部３４に実装されている。また、保持部３４には、保持部３４の長手方向に沿った位置に複数個のネジ孔６７が形成されている。
【００９５】
保持部材６６には、複数の点光源用圧入凹部６８と、複数のネジ挿通孔６９と、複数の逃げ孔７０とが形成されている。複数の点光源用圧入凹部６８、ネジ挿通孔６９、逃げ孔７０のそれぞれは、保持部材６６の長手方向に沿って直線状に配列されている。点光源用圧入凹部６８には、それぞれＬＥＤ３２が軽圧入されている。逃げ孔７０には、保持部材６６を保持部３４に固定することにより周辺回路素子６２が入り込む。
【００９６】
各点光源用圧入凹部６８にＬＥＤ３２を軽圧入した保持部材６６は、ＬＥＤ３２を配線パターン６１の上の接続位置に対向させ、及び、逃げ孔７０を周辺回路素子６２に対向させ、及び、ネジ挿通孔６９をネジ孔６７に対向させ、保持部３４の載置面３４ａ上に載置されている。そして、ネジ挿通孔６９に挿通した固定ネジ７１をネジ孔６７に螺合させることにより、保持部材６６が保持部３４に固定されている。この固定により、ＬＥＤ３２は配線パターン６１上の所定位置に押圧されて接続される。点光源用圧入凹部６８の配列方向は、照明装置６５を画像読取装置１３内に組み込んで画像読取を行う際に原稿Ｄの主走査方向と一致する方向とされている。
【００９７】
導光部材３１の入射面３１ａの一部であって載置面３４ａに近接した領域は、突き当て基準面７２とされている。保持部材６６における長手方向に沿った一面であって保持部材６６を保持部３４に載置して固定することにより突き当て基準面７２に対向する面は、突き当て基準面７２に突き当てられる突き当て面７３とされている。そして、載置面３４ａを有してこの載置面３４ａ上に配線パターン６１が形成された保持部３４と、突き当て基準面７２とにより、ライン状に配列されたＬＥＤ３２のそれぞれと導光部材３１との間隔が一定となるように位置決めし、及び、ＬＥＤ３２の配列方向が導光部材３１の長手方向に沿って一致するように位置決めする位置決め手段７４が形成されている。
【００９８】
保持部材６６は、アルミニウム、銅、アルミニウム合金、銅合金等の金属で形成されている。金属で保持部材６６を形成する方法としては、ダイキャスト法、押出し法、焼結法等を用いることで、細かい点光源用圧入凹部６８や逃げ孔７０を多数備えた保持部材６６を容易に形成することができる。
【００９９】
このような構成において、配線パターン６１が形成された保持部３４に、ＬＥＤ３２を保持した保持部材６６を固定ネジ７１を用いて固定することにより、ＬＥＤ３２が保持部３４の載置面３４ａ上に形成されている配線パターン６１に押圧されて接続され、ＬＥＤ３２への通電が可能となる。
【０１００】
ここで、載置面３４ａは導光部材３１の長手方向と平行に延出した面であるので、この載置面３４ａ上に点光源用圧入凹部６８にＬＥＤ３２を軽圧入した保持部材６６を載置することにより、複数のＬＥＤ３２と導光部材３１とを、ＬＥＤ３２の配列方向と導光部材３１の長手方向とが一致するように位置決めできる。また、保持部材６６の突き当て面７３を導光部材３１の突き当て基準面７２に突き当てることにより、各ＬＥＤ３２と導光部材３１の入射面３１ａとをその間隔が一定となるように位置決めできる。このため、各ＬＥＤ３２から出射された光が導光部材３１の入射面３１ａに均等に入射され、ＬＥＤ３２から出射された後に導光部材３１により導光されて出射面３１ｂから出射された光による原稿Ｄの照明を原稿Ｄの主走査方向に沿って均一に行うことができる。これにより、ＣＣＤ１７で受光する反射光の受光性能が向上し、画像読取装置１３による読取結果に基づいてプリンタエンジン３で形成される画像の品質を向上させることができる。
【０１０１】
さらに、本実施の形態によれば、ＬＥＤ３２は保持部材６６の点光源用圧入凹部６８に軽圧入されているだけなので、あるＬＥＤ３２が故障した場合にはその故障したＬＥＤ３２のみを交換することができ、複数のＬＥＤ３２を全体として交換したり、導光部材３１を含めて複数のＬＥＤ３２全体を交換したりする必要がなく、ＬＥＤ３２が故障したときのメンテナンスを安価に行える。
【０１０２】
また、保持部材６６を金属で形成することにより、ＬＥＤ３２や周辺回路素子６２から発生した熱の伝熱性及び放熱性を向上させることができ、熱の影響によるＬＥＤ３２や周辺回路素子６２の性能低下を防止できる。
【０１０３】
なお、本実施の形態において、ネジ挿通孔６９の形状を、第４の実施の形態（図８ないし図１０）で説明した位置決め孔５７のように、保持部材６６の長手方向の中央部に位置する一つのネジ挿通孔６９を固定ネジ７１の外径寸法と略等しい丸孔形状に形成し、他のネジ挿通孔６９を保持部材６６の長手方向に沿った寸法を固定ネジ７１の直径より長く形成してもよい。その場合には、温度変化に伴って保持部３４と保持部材６６とに間に熱膨張差（保持部３４、保持部材６６の長手方向に沿った方向の熱膨張差）が発生しても、その熱膨張差が原因となる保持部３４や保持部材６６の反りの発生を防止することができ、熱膨張差による反りが原因となって発生するＬＥＤ３２と導光部材３１との位置ズレを防止することができる。これにより、原稿Ｄの照明を原稿Ｄの主走査方向に沿ってより一層均一に行うことができる。
【０１０４】
本発明の第７の実施の形態を図１５及び図１６に基づいて説明する。図１５は照明装置の構造を示す分解斜視図、図１６は照明装置の構造を示す縦断正面図である。
【０１０５】
本実施の形態では、コンタクトガラス１２上の原稿Ｄをコンタクトガラス１２の下方から照明するための照明装置７５が設けられている。そして、この照明装置７５と、照明装置７５から出射されて原稿Ｄに照射された後に原稿Ｄで反射された反射光（読取光）を受光するＣＣＤ１７（図１参照）とにより画像読取装置１３（図１参照）が形成されている。
【０１０６】
照明装置７５の基本的な構造は第６の実施の形態の照明装置６５と同じであり、本実施の形態の照明装置７５が第６の実施の形態の照明装置６５と異なる部分は、本実施の形態の照明装置７５の保持部材６６に、複数の点光源用圧入凹部６８に加え、複数の周辺回路素子用圧入凹部７６が形成されている点である。点光源用圧入凹部６８にはそれぞれＬＥＤ３２が軽圧入され、周辺回路素子用圧入凹部７６にはそれぞれ電流制限抵抗等の周辺回路素子６２が軽圧入されている。これにより、保持部３４の載置面３４ａ上に形成された配線パターン６１上への素子の半田付けは行われていない。
【０１０７】
本実施の形態においても第６の実施の形態と同じように、載置面３４ａを有してこの載置面３４ａ上に配線パターン６１が形成された保持部３４と、突き当て基準面７２とにより位置決め手段７４が形成されている。
【０１０８】
このような構成において、載置面３４ａ上に配線パターン６１が形成された保持部３４に、ＬＥＤ３２と周辺回路素子６２とを保持した保持部材６６を固定ネジ７１を用いて固定することにより、ＬＥＤ３２と周辺回路素子６２とが保持部３４に形成されている配線パターン６１に押圧されて接続され、ＬＥＤ３２と周辺回路素子６２とへの通電が可能となる。
【０１０９】
ここで、載置面３４ａは導光部材３１の長手方向と平行に延出した面であるので、この載置面３４ａ上に点光源用圧入凹部６８にＬＥＤ３２を軽圧入した保持部材６６を載置することにより、複数のＬＥＤ３２と導光部材３１とを、ＬＥＤ３２の配列方向と導光部材３１の長手方向とが一致するように位置決めできる。また、保持部材６６の突き当て面７３を導光部材３１の突き当て基準面７２に突き当てることにより、各ＬＥＤ３２と導光部材３１の入射面３１ａとをその間隔が一定となるように位置決めできる。これにより、各ＬＥＤ３２から出射された光が導光部材３１の入射面３１ａに均等に入射される。
【０１１０】
さらに、本実施の形態によれば、保持部３４の載置面３４ａ上には配線パターン６１のみを形成するだけであって配線パターン６１に接続される素子の半田付け作業が不要となり、作業工程数が低減される。また、半田付けする際における導光部材３１に対する熱の影響をなくすことができ、導光部材３１の導光性能を良好に維持することができる。
【０１１１】
また、周辺回路素子６２は、保持部材６６の周辺回路素子用圧入凹部７６に軽圧入されているだけなので、ある周辺回路素子６２が故障した場合にはその故障した周辺回路素子６２のみを交換することができ、周辺回路素子６２が故障したときのメンテナンスを安価に行える。
【０１１２】
本発明の第８の実施の形態を図１７に基づいて説明する。図１７は照明装置の構造を示す縦断正面図である。
【０１１３】
本実施の形態では、コンタクトガラス１２上の原稿Ｄをコンタクトガラス１２の下方から照明するための照明装置８０が設けられている。そして、この照明装置８０と、照明装置８０から出射されて原稿Ｄに照射された後に原稿Ｄで反射された反射光（読取光）を受光するＣＣＤ１７（図１参照）とにより画像読取装置１３（図１参照）が形成されている。
【０１１４】
照明装置８０の基本的な構造は第６の実施の形態（図１３及び図１４）、第７の実施の形態（図１５及び図１６）の照明装置６５、７５と同じであり、本実施の形態の照明装置８０が第６、第７の実施の形態の照明装置６５、７５と異なる部分は、本実施の形態の照明装置８０では、保持部材６６におけるＬＥＤ３２や周辺回路素子６２が軽圧入されている面の裏面側に、放熱部８１が形成されている点である。放熱部８１は、フィン形状に形成され、この照明装置８０を画像読取装置１３内に組み込んだ位置で斜め上方に延出する向きに形成されている。
【０１１５】
このような構成において、保持部材６６に放熱部８１を形成することにより、ＬＥＤ３２や周辺回路素子６２から発生した熱の放熱性を向上させることができ、熱の影響によるＬＥＤ３２や周辺回路素子６２の性能低下を防止できる。
【０１１６】
本発明の第９の実施の形態を図１８に基づいて説明する。図１８は照明装置の構造を示す縦断正面図である。
【０１１７】
本実施の形態では、コンタクトガラス１２上の原稿Ｄをコンタクトガラス１２の下方から照明するための照明装置８５が設けられている。そして、この照明装置８５と、照明装置８５から出射されて原稿Ｄに照射された後に原稿Ｄで反射された反射光（読取光）を受光するＣＣＤ１７（図１参照）とにより画像読取装置１３（図１参照）が形成されている。
【０１１８】
照明装置８５は、導光部材３１、配線パターン６１が形成された基板８６、複数のＬＥＤ３２、複数の周辺回路素子６２、複数の点光源用圧入凹部６８と複数の周辺回路素子用圧入凹部７６とが形成された保持部材６６を有している。ＬＥＤ３２は点光源用圧入凹部６８には軽圧入して保持され、周辺回路素子６２は周辺回路素子用圧入凹部７６に軽圧入して保持されている。
【０１１９】
導光部材３１における入射面３１ａ側には、保持部３４が一体に形成されている。保持部３４は基板８６と保持部材６６とを重ね合わせた状態で保持する部分であり、導光部材３１の長手方向に沿って延出する形状に形成され、導光部材３１の長手方向と平行であって入射面３１ａに対して直角に交差する載置面３４ａが形成されている。また、保持部３４には、保持部３４の長手方向に沿った位置に複数個のネジ孔８７が形成されている。
【０１２０】
基板８６は、この基板８６を用いて照明装置８５を組み立てることにより導光部材３１の長手方向に沿った方向に向けて細長く延出する長方形状に形成され、その長手方向に沿った位置に複数の挿通孔８８が形成されている。保持部材６６には、この保持部材６６を用いて照明装置８５を組み立てることにより導光部材３１の長手方向に沿った方向となる位置に複数の挿通孔８９が形成されている。これらの挿通孔８８、８９には位置決めピン９０が挿通され、位置決めピン９０の先端部にはネジ部が形成され、このネジ部が保持部３４のネジ孔８７に螺合されている。そして、載置面３４ａを有する保持部３４と、位置決めピン９０とにより、ライン状に配列されたＬＥＤ３２のそれぞれと導光部材３１との間隔が一定となるように位置決めし、及び、ＬＥＤ３２の配列方向が導光部材３１の長手方向に沿って一致するように位置決めする位置決め手段９１が形成されている。
【０１２１】
このような構成において、基板８６と保持部材６６とを重ね合わせて保持部３４の載置面３４ａ上に載置し、保持部材６６の挿通孔８９と基板８６の挿通孔８８とに位置決めピン９０を挿通し、位置決めピン９０の先端部のネジ部をネジ孔８７に螺合させることにより、保持部材６６と基板８６とが保持部３４に固定される。また、ＬＥＤ３２と周辺回路素子６２とが基板８６上の配線パターン６１に押圧して接続され、ＬＥＤ３２と周辺回路素子６２とへの通電が可能となる。
【０１２２】
ここで、載置面３４ａは導光部材３１の長手方向と平行に延出した面であるので、この載置面３４ａ上に保持部材６６と基板８６とを載置することにより、保持部材６６の点光源用圧入凹部６８に軽圧入されたＬＥＤ３２と導光部材３１とを、ＬＥＤ３２の配列方向と導光部材３１の長手方向とが一致するように位置決めできる。また、載置面３４ａ上に載置された保持部材６６の挿通孔８９と基板８６の挿通孔８８とに挿通した位置決めピン９０を保持部３４のネジ孔８７に螺合させることにより、保持部材６６の点光源用圧入凹部６８に軽圧入された各ＬＥＤ３２と導光部材３１の入射面３１ａとをその間隔が一定となるように位置決めできる。このため、各ＬＥＤ３２から出射された光が導光部材３１に均等に入射され、ＬＥＤ３２から出射された後に導光部材３１により導光された光による原稿Ｄの照明を原稿Ｄの主走査方向に沿って均一に行うことができる。これにより、ＣＣＤ１７で受光する光の受光性能が向上し、画像読取装置１３による読取結果に基づいてプリンタエンジン３で形成される画像の品質を向上させることができる。
【０１２３】
また、本実施の形態によれば、専用の基板８６に配線パターン６１を形成しているので、保持部３４の載置面３４ａに配線パターンを形成するという特殊加工が不要となり、生産性を向上させることができる。
【０１２４】
本発明の第１０の実施の形態を図１９に基づいて説明する。図１９は照明装置の構造を示す縦断正面図である。
【０１２５】
本実施の形態では、コンタクトガラス１２上の原稿Ｄをコンタクトガラス１２の下方から照明するための照明装置９５が設けられている。そして、この照明装置９５と、照明装置９５から出射されて原稿Ｄに照射された後に原稿Ｄで反射された反射光（読取光）を受光するＣＣＤ１７（図１参照）とにより画像読取装置１３（図１参照）が形成されている。
【０１２６】
照明装置９５の基本的な構造は第９の実施の形態の照明装置８５と同じであり、本実施の形態の照明装置９５が第９の実施の形態の照明装置８５と異なる部分は、本実施の形態の照明装置９５では、位置決めピン９６が保持部３４と一体に形成されている点である。
【０１２７】
位置決めピン９６の先端部にはネジ部が形成されている。基板８６の挿通孔８８と保持部材６６の挿通孔８８とを位置決めピン９６に挿通することにより基板８６と保持部材６６とを保持部３４の載置面３４ａ上に重ね合わせて載置されている。位置決めピン９６の先端部のネジ部にナット９７が螺合され、このナット９７の螺合により基板８６と保持部材６６とが保持部３４に固定されている。そして、載置面３４ａを有する保持部３４と、位置決めピン９６とにより、ライン状に配列されたＬＥＤ３２のそれぞれと導光部材３１との間隔が一定となるように位置決めし、及び、ＬＥＤ３２の配列方向が導光部材３１の長手方向に沿って一致するように位置決めする位置決め手段９８が形成されている。
【０１２８】
このような構成において、位置決めピン９６が保持部３４と一体に形成されているので、この位置決めピン９６により基板８６と保持部材６６とを保持部３４に固定した場合には、保持部材６６と保持部３４との位置決め精度を高めることができ、原稿Ｄの照明を原稿Ｄの主走査方向に沿ってより一層均一に行うことができる。これにより、ＣＣＤ１７で受光する光の受光性能がより一層向上し、画像読取装置１３による読取結果に基づいてプリンタエンジン３で形成される画像の品質をさらに向上させることができる。
【符号の説明】
【０１２９】
３  プリンタエンジン
１２  コンタクトガラス
１３  画像読取装置
１７  光電変換素子
３０  点光源アレイ基板
３１  導光部材
３１ａ  入射面
３２ａ  発光面
３２  点光源
３３  基板
３４  保持部
３４ａ  載置面
３５  突き当て基準面
３６  突き当て面
３７  位置決め手段
４１  挿入凹部
４２  突き当て基準面
４３  突き当て面
４４  位置決め手段
５１  位置決め手段
５６  取付ネジ孔
５７ａ、５７ｂ  位置決め孔
５８  固定ネジ
５９  位置決め手段
６１  配線パターン
６２  周辺回路素子
６３  位置決め手段
６６  保持部材
６９  点光源用圧入凹部
７２  突き当て基準面
７３  突き当て面
７４  位置決め手段
７６  周辺回路素子用圧入凹部
８１  放熱部
８６  基板
９０  位置決めピン
９１  位置決め手段
９６  位置決めピン
９８  位置決め手段
Ｄ  原稿
【先行技術文献】
【特許文献】
【０１３０】
【特許文献１】特開平７−１６２５８６号公報
【特許文献２】特開平１０−３２２５２１号公報
【図１】
2010178354.tif 000003
【図２】
2010178354.tif 000004
【図３】
2010178354.tif 000005
【図４】
2010178354.tif 000006
【図５】
2010178354.tif 000007
【図６】
2010178354.tif 000008
【図７】
2010178354.tif 000009
【図８】
2010178354.tif 000010
【図９】
2010178354.tif 000011
【図１０】
2010178354.tif 000012
【図１１】
2010178354.tif 000013
【図１２】
2010178354.tif 000014
【図１３】
2010178354.tif 000015
【図１４】
2010178354.tif 000016
【図１５】
2010178354.tif 000017
【図１６】
2010178354.tif 000018
【図１７】
2010178354.tif 000019
【図１８】
2010178354.tif 000020
【図１９】
2010178354.tif 000021
【図２０】
2010178354.tif 000022
【図２１】
2010178354.tif 000023
【図２２】
2010178354.tif 000024
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
複数の点光源を基板の長手方向に直線状に配置した点光源アレイ基板と、
前記点光源から出射される光の出射方向前方に位置付けられ、前記複数の点光源から出射された光が原稿を前記基板の長手方向に沿って照明するように導光する導光部材と、
前記複数の点光源の出射面がそれぞれ前記導光部材の入射面と長手方向に沿って対向するように前記点光源アレイ基板を保持する保持部と、
前記点光源アレイ基板を前記保持部に固定する固定ネジと、を備え、
前記保持部には、前記固定ネジを取り付けるネジ孔が形成され、
前記基板には、それぞれの前記ネジ孔と対向する位置に前記固定ネジを挿通する複数の位置決め孔が形成され、
前記基板の位置決め孔と前記保持部のネジ孔とが重なるように前記点光源アレイ基板を前記保持部に載置して、前記固定ネジを前記位置決め孔に挿入し前記ネジ孔に取り付けることにより、
前記複数の点光源と前記導光部材との間隔が一定、且つ前記点光源の配列方向が前記導光部材の長手方向と一致するように、前記点光源アレイ基板が位置決めされていることを特徴とする照明装置。
【請求項２】
前記位置決め孔は、直線状に配置した前記複数の点光源の両端の点光源よりも内側に複数形成されていることを特徴とする請求項１記載の照明装置。
【請求項３】
前記点光源アレイ基板は、前記基板の底面を前記保持部に載置する向きに前記保持部に保持されていることを特徴とする請求項１又は２記載の照明装置。
【請求項４】
前記複数の位置決め孔の一部は、前記固定ネジの直径よりも前記基板の長手方向に長く形成されていることを特徴とする請求項１乃至３のいずれか一項に記載の照明装置。
【請求項５】
前記保持部と前記導光部材とは、別体に形成されていることを特徴とする請求項１乃至４のいずれか一項に記載の照明装置。
【請求項６】
請求項１乃至５のいずれか一項に記載の照明装置と、
原稿からの反射光を受光する光電変換素子と、を具備する画像読取装置。
【請求項７】
請求項６記載の画像読取装置と、
この画像読取装置で読み取った画像データに応じて記録媒体上に画像を形成するプリンタエンジンと、を具備する画像形成装置。
【手続補正３】
【補正対象書類名】明細書
【補正対象項目名】０００９
【補正方法】変更
【補正の内容】
【０００９】
本発明の照明装置は、複数の点光源を基板の長手方向に直線状に配置した点光源アレイ基板と、前記点光源から出射される光の出射方向前方に位置付けられ、前記複数の点光源から出射された光が原稿を前記基板の長手方向に沿って照明するように導光する導光部材と、前記複数の点光源の出射面がそれぞれ前記導光部材の入射面と長手方向に沿って対向するように前記点光源アレイ基板を保持する保持部と、前記点光源アレイ基板を前記保持部に固定する固定ネジと、を備え、前記保持部には、前記固定ネジを取り付けるネジ孔が形成され、前記基板には、それぞれの前記ネジ孔と対向する位置に前記固定ネジを挿通する複数の位置決め孔が形成され、前記基板の位置決め孔と前記保持部のネジ孔とが重なるように前記点光源アレイ基板を前記保持部に載置して、前記固定ネジを前記位置決め孔に挿入し前記ネジ孔に取り付けることにより、前記複数の点光源と前記導光部材との間隔が一定、且つ前記点光源の配列方向が前記導光部材の長手方向と一致するように、前記点光源アレイ基板が位置決めされていることを特徴とする。
本発明の照明装置は、好ましくは前記照明装置において、前記位置決め孔は、直線状に配置した前記複数の点光源の両端の点光源よりも内側に複数形成されていることを特徴とする。
本発明の照明装置は、好ましくは前記照明装置において、前記点光源アレイ基板は、前記基板の底面を前記保持部に載置する向きに前記保持部に保持されていることを特徴とする。
本発明の照明装置は、好ましくは前記照明装置において、前記複数の位置決め孔の一部は、前記固定ネジの直径よりも前記基板の長手方向に長く形成されていることを特徴とする。
本発明の照明装置は、好ましくは前記照明装置において、前記保持部と前記導光部材とは、別体に形成されていることを特徴とする。
本発明の画像読取装置は、前記いずれかの照明装置と、原稿からの反射光を受光する光電変換素子と、を具備することを特徴とする。
本発明の画像形成装置は、前記画像読取装置と、この画像読取装置で読み取った画像データに応じて記録媒体上に画像を形成するプリンタエンジンと、を具備することを特徴とする。
参考の発明の画像読取装置は、直線状に配列され、コンタクトガラス上の原稿を前記コンタクトガラスの下方から照明する光を出射するライン状に配列された複数の点光源と、前記点光源から出射される光の出射方向前方に位置付けられ、前記点光源から出射された光を前記コンタクトガラス上の原稿に向けて主走査方向に沿って照明するように導光する導光部材と、原稿からの反射光を受光する光電変換素子と、を有し、前記導光部材は、ライン状に配列された前記点光源のそれぞれと前記導光部材との間隔が一定となるように位置決めし、及び、前記点光源の配列方向が前記導光部材の長手方向に沿って一致するように位置決めする位置決め手段を有している。
【手続補正４】
【補正対象書類名】明細書
【補正対象項目名】００１０
【補正方法】変更
【補正の内容】
【００１０】
好ましい参考の発明は、前記画像読取装置において、複数の前記点光源を基板にライン状に取り付けた点光源アレイ基板を有し、前記導光部材に設けられてこの導光部材の長手方向と平行に延出して前記点光源アレイ基板が載置される載置面を有する保持部と、前記点光源アレイ基板を前記載置面上に載置することにより前記基板に形成された突き当て面が突き当てられるように前記導光部材に形成された突き当て基準面とにより前記位置決め手段が形成されている。
【手続補正５】
【補正対象書類名】明細書
【補正対象項目名】００１１
【補正方法】変更
【補正の内容】
【００１１】
好ましい参考の発明は、前記画像読取装置において、複数の前記点光源を基板にライン状に取り付けた点光源アレイ基板を有し、前記導光部材に設けられてこの前記導光部材の長手方向と平行に延出して前記基板が挿入される挿入凹部と、前記基板を前記挿入凹部に挿入することにより前記基板に形成された突き当て面が突き当てられるように前記挿入凹部の奥部に形成された突き当て基準面とにより前記位置決め手段が形成されている。
【手続補正６】
【補正対象書類名】明細書
【補正対象項目名】００１２
【補正方法】変更
【補正の内容】
【００１２】
好ましい参考の発明は、前記画像読取装置において、複数の前記点光源を基板にライン状に取り付けた点光源アレイ基板を有し、前記導光部材に設けられてこの導光部材の長手方向と平行に延出して前記基板が挿入される挿入凹部と、前記基板を前記挿入凹部に挿入することにより前記点光源の発光面が当接される前記導光部材の入射面とにより前記位置決め手段が形成されている。
【手続補正７】
【補正対象書類名】明細書
【補正対象項目名】００１３
【補正方法】変更
【補正の内容】
【００１３】
好ましい参考の発明は、前記画像読取装置において、複数の前記点光源を基板にライン状に取り付けた点光源アレイ基板を有し、前記導光部材に設けられてこの導光部材の長手方向と平行に延出して前記点光源アレイ基板が載置される載置面を有する保持部と、前記点光源アレイ基板を前記載置面上に載置することにより前記基板に形成された複数の位置決め孔と対向してこれらの位置決め孔を挿通した固定ネジが螺合されるように前記保持部に形成された複数の取付ネジ孔とにより前記位置決め手段が形成されている。
【手続補正８】
【補正対象書類名】明細書
【補正対象項目名】００１４
【補正方法】変更
【補正の内容】
【００１４】
好ましい参考の発明は、前記画像読取装置において、前記基板の長手方向の中央部に位置する一つの前記位置決め孔は前記固定ネジの外径寸法と略等しい丸孔形状に形成され、他の前記位置決め孔は前記基板の長手方向に沿った寸法が前記固定ネジの直径より長く形成されて前記基板の短手方向に沿った寸法が前記固定ネジの直径と略等しく形成されている。
【手続補正９】
【補正対象書類名】明細書
【補正対象項目名】００１５
【補正方法】変更
【補正の内容】
【００１５】
好ましい参考の発明は、前記画像読取装置において、前記導光部材に設けられてこの導光部材の長手方向と平行に延出した載置面を有する保持部と、前記載置面上に形成されて前記点光源が接続される配線パターンとにより前記位置決め手段が形成されている。
【手続補正１０】
【補正対象書類名】明細書
【補正対象項目名】００１６
【補正方法】変更
【補正の内容】
【００１６】
好ましい参考の発明は、前記画像読取装置において、前記点光源が軽圧入される複数の点光源用圧入凹部が形成された保持部材を有し、前記導光部材に設けられてこの導光部材の長手方向と平行に延出した載置面を有してこの載置面上に配線パターンが形成された保持部と、前記点光源用圧入凹部に前記点光源を軽圧入した前記保持部材を前記載置面上に載置して前記点光源を前記配線パターンに接続することにより前記保持部材に形成された突き当て面が突き当てられるように前記導光部材に形成された突き当て基準面とにより前記位置決め手段が形成されている。
【手続補正１１】
【補正対象書類名】明細書
【補正対象項目名】００１７
【補正方法】変更
【補正の内容】
【００１７】
好ましい参考の発明は、前記画像読取装置において、周辺回路素子が軽圧入される周辺回路素子用圧入凹部が前記保持部材に形成され、前記保持部材が前記載置面上に載置されることにより前記周辺回路素子用圧入凹部に軽圧入されている前記周辺回路素子が前記配線パターンに接続されている。
【手続補正１２】
【補正対象書類名】明細書
【補正対象項目名】００１８
【補正方法】変更
【補正の内容】
【００１８】
好ましい参考の発明は、前記画像読取装置において、前記保持部材は、金属により形成されている。
【手続補正１３】
【補正対象書類名】明細書
【補正対象項目名】００１９
【補正方法】変更
【補正の内容】
【００１９】
好ましい参考の発明は、前記画像読取装置において、前記保持部材は、放熱部を有している。
【手続補正１４】
【補正対象書類名】明細書
【補正対象項目名】００２０
【補正方法】変更
【補正の内容】
【００２０】
好ましい参考の発明は、前記画像読取装置において、前記点光源が軽圧入される複数の点光源用圧入凹部が形成された保持部材と、配線パターンが形成された基板とを有し、前記導光部材に設けられてこの導光部材の長手方向と平行に延出して前記基板と前記保持部材とが重ね合わせて載置される載置面を有する保持部と、前記点光源用圧入凹部に軽圧入された前記点光源が前記配線パターンに接続されるように位置付けして前記載置面上に載置された前記基板と前記保持部材とを貫通して位置固定するように前記保持部に固定された位置決めピンとにより前記位置決め手段が形成されている。
【手続補正１５】
【補正対象書類名】明細書
【補正対象項目名】００２１
【補正方法】変更
【補正の内容】
【００２１】
好ましい参考の発明は、前記画像読取装置において、前記位置決めピンは前記保持部と一体に形成されている。
【手続補正１６】
【補正対象書類名】明細書
【補正対象項目名】００２２
【補正方法】変更
【補正の内容】
【００２２】
参考の発明の画像形成装置は、前記のいずれか一の画像読取装置と、この画像読取装置で読み取った画像データに応じて記録媒体上に画像を形成するプリンタエンジンと、を具備する。
【手続補正１７】
【補正対象書類名】明細書
【補正対象項目名】００２３
【補正方法】変更
【補正の内容】
【００２３】
本発明の照明装置によれば、直線状に配列された点光源のそれぞれと導光部材との間隔が一定となるように位置決めされ、及び、点光源の配列方向が導光部材の長手方向に沿って一致するように位置決めされるため、各点光源から出射された光を導光部材に均等に入射させることができ、点光源から出射された後に導光部材により導光された光による原稿の照明を原稿の主走査方向に沿って均一に行うことができる。
本発明の画像読取装置によれば、前記の照明装置を備えているので、点光源から出射された光による原稿の照明を原稿の主走査方向に沿って均一に行うことができ、安定した画像読取ができる。
本発明の画像形成装置によれば、前記の画像読取装置を備えているので、この画像読取装置による安定した画像読取結果に応じて画像形成を行うことができ、形成される画像品質の向上を図ることができる。
参考の発明の画像読取装置によれば、導光部材が位置決め手段を有し、この位置決め手段によって、ライン状に配列された点光源のそれぞれと導光部材との間隔が一定となるように位置決めされ、及び、点光源の配列方向が導光部材の長手方向に沿って一致するように位置決めされるため、各点光源から出射された光を導光部材に均等に入射させることができ、点光源から出射された後に導光部材により導光された光による原稿の照明を原稿の主走査方向に沿って均一に行うことができる。
【手続補正１８】
【補正対象書類名】明細書
【補正対象項目名】００２４
【補正方法】変更
【補正の内容】
【００２４】
好ましい参考の発明の画像読取装置によれば、点光源アレイ基板を保持部の載置面上に載置することにより、複数の点光源と導光部材とを、点光源の配列方向と導光部材の長手方向とが一致するように位置決めできる。また、基板の突き当て面を導光部材の突き当て基準面に突き当てることにより、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。
【手続補正１９】
【補正対象書類名】明細書
【補正対象項目名】００２５
【補正方法】変更
【補正の内容】
【００２５】
好ましい参考の発明の画像読取装置によれば、点光源アレイ基板の基板を導光部材の挿入凹部に挿入することにより、複数の点光源と導光部材とを、点光源の配列方向と導光部材の長手方向とが一致するように位置決めできる。また、基板の突き当て面を挿入凹部の奥部に形成された突き当て基準面に突き当てることにより、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。さらに、本発明によれば、基板を挿入凹部に挿入することにより基板の反りを矯正することができ、基板の反りが原因となって発生する点光源と導光部材との位置ズレを防止することができ、原稿の照明を原稿の主走査方向に沿ってより一層均一に行うことができる。
【手続補正２０】
【補正対象書類名】明細書
【補正対象項目名】００２６
【補正方法】変更
【補正の内容】
【００２６】
好ましい参考の発明の画像読取装置によれば、点光源アレイ基板の基板を導光部材の挿入凹部に挿入することにより、複数の点光源と導光部材とを、点光源の配列方向と導光部材の長手方向とが一致するように位置決めできる。また、点光源の発光面を導光部材の入射面に突き当てることにより、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。さらに、本発明によれば、基板を挿入凹部に挿入することにより基板の反りを矯正することができ、基板の反りが原因となって発生する点光源と導光部材との位置ズレを防止することができ、原稿の照明を原稿の主走査方向に沿ってより一層均一に行うことができる。
【手続補正２１】
【補正対象書類名】明細書
【補正対象項目名】００２７
【補正方法】変更
【補正の内容】
【００２７】
好ましい参考の発明の画像読取装置によれば、点光源アレイ基板を保持部の載置面上に載置することにより、複数の点光源と導光部材とを、点光源の配列方向と導光部材の長手方向とが一致するように位置決めできる。また、保持部に形成した取付ネジ孔と基板に形成した位置決め孔とを対向させ、位置決め孔に挿通した固定ネジを取付ネジ孔に螺合させることにより、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。
【手続補正２２】
【補正対象書類名】明細書
【補正対象項目名】００２８
【補正方法】変更
【補正の内容】
【００２８】
好ましい参考の発明の画像読取装置によれば、基板の長手方向の中央部に位置する一つの位置決め孔は固定ネジの外径寸法と略等しい丸孔形状に形成され、他の位置決め孔は基板の長手方向に沿った寸法が固定ネジの直径より長く形成されて基板の短手方向に沿った寸法が固定ネジの直径と略同じに形成されているので、温度変化に伴って保持部と基板との間に熱膨張差が発生しても、その熱膨張差が原因となる保持部又は基板の反りの発生を防止することができ、熱膨張差による反りが原因となって発生する点光源と導光部材との位置ズレを防止することができ、原稿の照明を原稿の主走査方向に沿ってより一層均一に行うことができる。
【手続補正２３】
【補正対象書類名】明細書
【補正対象項目名】００２９
【補正方法】変更
【補正の内容】
【００２９】
好ましい参考の発明の画像読取装置によれば、導光部材に設けられてこの導光部材の長手方向と平行に延出した載置面上に配線パターンを形成し、この配線パターンに複数の点光源を接続することにより、複数の点光源と導光部材とを、点光源の配列方向と導光部材の長手方向とが一致するように位置決めでき、しかも、点光源のそれぞれと導光部材との間隔が一定となるように位置決めできる。このため、各点光源から出射された光を導光部材に均等に入射させることができ、各点光源から出射された後に導光部材により導光された光による原稿の照明を原稿の主走査方向に沿って均一に行うことができる。
【手続補正２４】
【補正対象書類名】明細書
【補正対象項目名】００３０
【補正方法】変更
【補正の内容】
【００３０】
好ましい参考の発明の画像読取装置によれば、点光源用圧入凹部に点光源を軽圧入した保持部材を保持部の載置面上に載置して点光源を配線パターンに接続することにより、点光源への通電が可能となり、複数の点光源と導光部材とを、点光源の配列方向と導光部材の長手方向とが一致するように位置決めできる。また、保持部材の突き当て面を導光部材の突き当て基準面に突き当てることにより、点光源のそれぞれと導光部材との間隔が一定となるように位置決めできる。このため、各点光源から出射された光を導光部材に均等に入射させることができ、点光源から出射された後に導光部材により導光された光による原稿の照明を原稿の主走査方向に沿って均一に行うことができる。さらに、本発明によれば、点光源は保持部材の点光源用圧入凹部に軽圧入されているだけなので、ある点光源が故障した場合にはその故障した点光源のみを交換することができ、複数の点光源を全体として交換したり、導光部材を含めた複数の点光源を全体として交換したりする必要がなく、点光源が故障したときのメンテナンスを安価に行える。
【手続補正２５】
【補正対象書類名】明細書
【補正対象項目名】００３１
【補正方法】変更
【補正の内容】
【００３１】
好ましい参考の発明の画像読取装置によれば、点光源を点光源用圧入凹部に軽圧入し、及び、周辺回路素子を周辺回路素子用圧入凹部に軽圧入した保持部材を保持部の載置面上に載置して点光源と周辺回路素子とを配線パターンに接続することにより、点光源と周辺回路素子とへの通電が可能となり、請求項８記載の発明と同じ効果を奏する。さらに、本発明によれば、周辺回路素子は保持部材の周辺回路素子用圧入凹部に軽圧入されているだけなので、ある周辺回路素子が故障した場合にはその故障した周辺回路素子のみを交換することができる。さらに、本発明によれば、導光部材の保持部の載置面上には配線パターンのみを形成するだけであって周辺回路素子を半田付けする作業を不要とすることができる。
【手続補正２６】
【補正対象書類名】明細書
【補正対象項目名】００３２
【補正方法】変更
【補正の内容】
【００３２】
好ましい参考の発明の画像読取装置によれば、保持部材が金属により形成されているので、点光源や周辺回路素子から発生した熱の伝熱性及び放熱性を向上させることができ、熱の影響による点光源や周辺回路素子の性能低下を防止できる。
【手続補正２７】
【補正対象書類名】明細書
【補正対象項目名】００３３
【補正方法】変更
【補正の内容】
【００３３】
好ましい参考の発明の画像読取装置によれば、保持部材が放熱部を有するので、点光源や周辺回路素子から発生した熱の放熱性を向上させることができ、熱の影響による点光源や周辺回路素子の性能低下を防止できる。
【手続補正２８】
【補正対象書類名】明細書
【補正対象項目名】００３４
【補正方法】変更
【補正の内容】
【００３４】
好ましい参考の発明の画像読取装置によれば、点光源用圧入凹部に点光源を軽圧入した保持部材と基板とを保持部の載置面上に載置することにより、複数の点光源と導光部材とを、点光源の配列方向と導光部材の長手方向とが一致するように位置決めできる。また、載置面上に載置された保持部材と基板とを保持部に固定された位置決めピンで位置固定することにより、点光源のそれぞれと導光部材との間隔が一定となるように位置決めできる。このため、各点光源から出射された光を導光部材に均等に入射させることができ、点光源から出射された後に導光部材により導光された光による原稿の照明を原稿の主走査方向に沿って均一に行うことができる。さらに、本発明によれば、専用の基板に配線パターンを形成しているので、保持部の載置面に配線パターンを形成するという特殊加工が不要となり、生産性を向上させることができる。
【手続補正２９】
【補正対象書類名】明細書
【補正対象項目名】００３５
【補正方法】変更
【補正の内容】
【００３５】
好ましい参考の発明の画像読取装置によれば、位置決めピンが保持部と一体に形成されているので、この位置決めピンによる保持部材と保持部との位置決め精度を高めることができ、原稿の照明を原稿の主走査方向に沿ってより一層均一に行うことができる。
【手続補正３０】
【補正対象書類名】明細書
【補正対象項目名】００３６
【補正方法】変更
【補正の内容】
【００３６】
参考の発明の画像形成装置によれば、前記いずれかの画像読取装置を備えているので、この画像読取装置による安定した画像読取結果に応じて画像形成を行うことができ、形成される画像品質の向上を図ることができる。
【手続補正３１】
【補正対象書類名】明細書
【補正対象項目名】００３７
【補正方法】変更
【補正の内容】
【００３７】
【図１】本発明の第１の参考の形態の画像形成装置であるフルカラーの複写機の内部構造を示す概略正面図である。
【図２】照明装置の構造を示す斜視図である。
【図３】照明装置の構造を示す縦断正面図である。
【図４】本発明の第２の参考の形態における照明装置の構造を示す斜視図である。
【図５】照明装置の構造を示す縦断正面図である。
【図６】本発明の第３の参考の形態における照明装置の構造を示す斜視図である。
【図７】照明装置の構造を示す縦断正面図である。
【図８】本発明の第４の実施の形態における照明装置の構造を示す斜視図である。
【図９】位置決め手段の一部を示す縦断側面図である。
【図１０】位置決め手段の他の一部を示す縦断側面図である。
【図１１】本発明の第５の参考の形態における照明装置の構造を示す斜視図である。
【図１２】照明装置の構造を示す縦断正面図である。
【図１３】発明の第６の参考の形態における照明装置の構造を示す分解斜視図である。
【図１４】照明装置の構造を示す縦断正面図である。
【図１５】本発明の第７の参考の形態における照明装置の構造を示す分解斜視図である。
【図１６】照明装置の構造を示す縦断正面図である。
【図１７】本発明の第８の参考の形態における照明装置の構造を示す縦断正面図である。
【図１８】本発明の第９の参考の形態における照明装置の構造を示す縦断正面図である。
【図１９】本発明の第１０の参考の形態における照明装置の構造を示す縦断正面図である。
【図２０】従来例の照明装置の構造を示す縦断正面図である。
【図２１】従来例の照明装置において、導光部材とＬＥＤアレイ基板とが、ＬＥＤと導光部材との間隔がバラツキを生じる方向にずれを生じた場合を示す斜視図である。
【図２２】従来例の照明装置において、導光部材とＬＥＤアレイ基板とが、ＬＥＤの配列方向と導光部材の長手方向とが捩れの位置関係となる方向にずれを生じた場合を示す斜視図である。
【手続補正３２】
【補正対象書類名】明細書
【補正対象項目名】００３８
【補正方法】変更
【補正の内容】
【００３８】
本発明の第１の参考の形態を図１ないし図３に基づいて説明する。図１は本発明が適用される画像形成装置であるフルカラーの複写機１の内部構造を示す概略正面図である。図２は照明装置の構造を示す斜視図、図３は照明装置の構造を示す縦断正面図である。
【手続補正３３】
【補正対象書類名】明細書
【補正対象項目名】００４９
【補正方法】変更
【補正の内容】
【００４９】
このような基本的な構成の下、本参考の形態の照明装置１８は図２及び図３に示すように、点光源アレイ基板であるＬＥＤアレイ基板３０と、導光部材３１とを有している。ＬＥＤアレイ基板３０は、複数の点光源であるＬＥＤ３２と、複数のＬＥＤ３２が所定の等ピッチで直線状に配列固定された長尺状の基板３３とを有している。複数のＬＥＤ３２は、基板３３の長手方向に沿って配列され、この配列方向は、照明装置１８を画像読取装置１３内に組み込んで画像読取を行う際に原稿Ｄの主走査方向と一致する方向とされている。また、基板３３には、固定したＬＥＤ３２を通電可能に接続する配線パターン（図示せず）が形成されている。さらに、図示を省略してあるが、このＬＥＤアレイ基板３０には、電流制限抵抗などを含む周辺回路素子が配線パターンに接続して固定されている。なお、本実施の形態では、ＬＥＤ３２を直線状に１ライン設けた場合を例に挙げて説明しているが、画像読取時に原稿Ｄの主走査方向に一致する方向に沿った複数ラインのＬＥＤを設けてもよい。
【手続補正３４】
【補正対象書類名】明細書
【補正対象項目名】００５５
【補正方法】変更
【補正の内容】
【００５５】
本参考の形態において、導光部材３１の出射面３１ｂの長手方向と直交する方向（画像読取時に副走査方向）の幅寸法を"Ａ"とするとき、その幅寸法"Ａ"の略中央となる位置でＬＥＤ３２が入射面３１ａに対向するようにＬＥＤアレイ基板３０の固定位置を位置決めすることが好ましい。
【手続補正３５】
【補正対象書類名】明細書
【補正対象項目名】００５６
【補正方法】変更
【補正の内容】
【００５６】
なお、本参考の形態では、保持部３４を導光部材３１と一体に形成した場合を例に挙げて説明したが、保持部を導光部材と別体に形成し、その保持部を導光部材に固定する構造としてもよい。
【手続補正３６】
【補正対象書類名】明細書
【補正対象項目名】００５７
【補正方法】変更
【補正の内容】
【００５７】
本発明の第２の参考の形態を図４及び図５に基づいて説明する。なお、本参考の形態及びそれ以降に説明する各参考の形態及び実施の形態において、先行して説明した参考の形態又は実施の形態と同じ部分は同じ符号で示し、説明も省略する。図４は照明装置の構造を示す斜視図、図５は照明装置の構造を示す縦断正面図である。
【手続補正３７】
【補正対象書類名】明細書
【補正対象項目名】００５８
【補正方法】変更
【補正の内容】
【００５８】
本参考の形態では、コンタクトガラス１２上の原稿Ｄをコンタクトガラス１２の下方から照明するための照明装置４０が設けられている。そして、この照明装置４０と、照明装置４０から出射されて原稿Ｄに照射された後に原稿Ｄで反射された反射光（読取光）を読み取るＣＣＤ１７（図１参照）とにより画像読取装置１３（図１参照）が形成されている。
【手続補正３８】
【補正対象書類名】明細書
【補正対象項目名】００６６
【補正方法】変更
【補正の内容】
【００６６】
さらに、本参考の形態によれば、基板３３を挿入凹部４１に挿入することにより基板３３の反りを矯正することができ、基板３３の反りが原因となって発生するＬＥＤ３２と導光部材３１との位置ズレを防止することができる。これにより、原稿Ｄの照明を原稿Ｄの主走査方向に沿ってより一層均一に行うことができる。
【手続補正３９】
【補正対象書類名】明細書
【補正対象項目名】００６７
【補正方法】変更
【補正の内容】
【００６７】
本発明の第３の参考の形態を図６及び図７に基づいて説明する。図６は照明装置の構造を示す斜視図、図７は照明装置の構造を示す縦断正面図である。
【手続補正４０】
【補正対象書類名】明細書
【補正対象項目名】００６８
【補正方法】変更
【補正の内容】
【００６８】
本参考の形態では、コンタクトガラス１２上の原稿Ｄをコンタクトガラス１２の下方から照明するための照明装置５０が設けられている。そして、この照明装置５０と、照明装置５０から出射されて原稿Ｄに照射された後に原稿Ｄで反射された反射光（読取光）を受光するＣＣＤ１７（図１参照）とにより画像読取装置１３（図１参照）が形成されている。
【手続補正４１】
【補正対象書類名】明細書
【補正対象項目名】００７４
【補正方法】変更
【補正の内容】
【００７４】
さらに、本参考の形態によれば、基板３３を挿入凹部４１に挿入することにより基板３３の反りを矯正することができ、基板３３の反りが原因となって発生するＬＥＤ３２と導光部材３１との位置ズレを防止することができる。これにより、原稿Ｄの照明を原稿Ｄの主走査方向に沿ってより一層均一に行うことができる。
【手続補正４２】
【補正対象書類名】明細書
【補正対象項目名】００８５
【補正方法】変更
【補正の内容】
【００８５】
本発明の第５の参考の形態を図１１及び図１２に基づいて説明する。図１１は照明装置の構造を示す斜視図、図１２は照明装置の構造を示す縦断正面図である。
【手続補正４３】
【補正対象書類名】明細書
【補正対象項目名】００８６
【補正方法】変更
【補正の内容】
【００８６】
本参考の形態では、コンタクトガラス１２上の原稿Ｄをコンタクトガラス１２の下方から照明するための照明装置６０が設けられている。そして、この照明装置６０と、照明装置６０から出射されて原稿Ｄに照射された後に原稿Ｄで反射された反射光（読取光）を受光するＣＣＤ１７（図１参照）とにより画像読取装置１３（図１参照）が形成されている。
【手続補正４４】
【補正対象書類名】明細書
【補正対象項目名】００８９
【補正方法】変更
【補正の内容】
【００８９】
このような構成において、本参考の形態では、導光部材３１と一体に形成されている保持部３４に配線パターン６１を形成し、この配線パターン６１に接続したＬＥＤ３２と周辺回路素子６２とを保持部３４に実装している。
【手続補正４５】
【補正対象書類名】明細書
【補正対象項目名】００９１
【補正方法】変更
【補正の内容】
【００９１】
本発明の第６の参考の形態を図１３及び図１４に基づいて説明する。図１３は照明装置の構造を示す分解斜視図、図１４は照明装置の構造を示す縦断正面図である。
【手続補正４６】
【補正対象書類名】明細書
【補正対象項目名】００９２
【補正方法】変更
【補正の内容】
【００９２】
本参考の形態では、コンタクトガラス１２上の原稿Ｄをコンタクトガラス１２の下方から照明するための照明装置６５が設けられている。そして、この照明装置６５と、照明装置６５から出射されて原稿Ｄに照射された後に原稿Ｄで反射された反射光（読取光）を受光するＣＣＤ１７（図１参照）とにより画像読取装置１３（図１参照）が形成されている。
【手続補正４７】
【補正対象書類名】明細書
【補正対象項目名】０１０１
【補正方法】変更
【補正の内容】
【０１０１】
さらに、本参考の形態によれば、ＬＥＤ３２は保持部材６６の点光源用圧入凹部６８に軽圧入されているだけなので、あるＬＥＤ３２が故障した場合にはその故障したＬＥＤ３２のみを交換することができ、複数のＬＥＤ３２を全体として交換したり、導光部材３１を含めて複数のＬＥＤ３２全体を交換したりする必要がなく、ＬＥＤ３２が故障したときのメンテナンスを安価に行える。
【手続補正４８】
【補正対象書類名】明細書
【補正対象項目名】０１０３
【補正方法】変更
【補正の内容】
【０１０３】
なお、本参考の形態において、ネジ挿通孔６９の形状を、第４の実施の形態（図８ないし図１０）で説明した位置決め孔５７のように、保持部材６６の長手方向の中央部に位置する一つのネジ挿通孔６９を固定ネジ７１の外径寸法と略等しい丸孔形状に形成し、他のネジ挿通孔６９を保持部材６６の長手方向に沿った寸法を固定ネジ７１の直径より長く形成してもよい。その場合には、温度変化に伴って保持部３４と保持部材６６とに間に熱膨張差（保持部３４、保持部材６６の長手方向に沿った方向の熱膨張差）が発生しても、その熱膨張差が原因となる保持部３４や保持部材６６の反りの発生を防止することができ、熱膨張差による反りが原因となって発生するＬＥＤ３２と導光部材３１との位置ズレを防止することができる。これにより、原稿Ｄの照明を原稿Ｄの主走査方向に沿ってより一層均一に行うことができる。
【手続補正４９】
【補正対象書類名】明細書
【補正対象項目名】０１０４
【補正方法】変更
【補正の内容】
【０１０４】
本発明の第７の参考の形態を図１５及び図１６に基づいて説明する。図１５は照明装置の構造を示す分解斜視図、図１６は照明装置の構造を示す縦断正面図である。
【手続補正５０】
【補正対象書類名】明細書
【補正対象項目名】０１０５
【補正方法】変更
【補正の内容】
【０１０５】
本参考の形態では、コンタクトガラス１２上の原稿Ｄをコンタクトガラス１２の下方から照明するための照明装置７５が設けられている。そして、この照明装置７５と、照明装置７５から出射されて原稿Ｄに照射された後に原稿Ｄで反射された反射光（読取光）を受光するＣＣＤ１７（図１参照）とにより画像読取装置１３（図１参照）が形成されている。
【手続補正５１】
【補正対象書類名】明細書
【補正対象項目名】０１０６
【補正方法】変更
【補正の内容】
【０１０６】
照明装置７５の基本的な構造は第６の参考の形態の照明装置６５と同じであり、本参考の形態の照明装置７５が第６の参考の形態の照明装置６５と異なる部分は、本参考の形態の照明装置７５の保持部材６６に、複数の点光源用圧入凹部６８に加え、複数の周辺回路素子用圧入凹部７６が形成されている点である。点光源用圧入凹部６８にはそれぞれＬＥＤ３２が軽圧入され、周辺回路素子用圧入凹部７６にはそれぞれ電流制限抵抗等の周辺回路素子６２が軽圧入されている。これにより、保持部３４の載置面３４ａ上に形成された配線パターン６１上への素子の半田付けは行われていない。
【手続補正５２】
【補正対象書類名】明細書
【補正対象項目名】０１０７
【補正方法】変更
【補正の内容】
【０１０７】
本参考の形態においても第６の参考の形態と同じように、載置面３４ａを有してこの載置面３４ａ上に配線パターン６１が形成された保持部３４と、突き当て基準面７２とにより位置決め手段７４が形成されている。
【手続補正５３】
【補正対象書類名】明細書
【補正対象項目名】０１１０
【補正方法】変更
【補正の内容】
【０１１０】
さらに、本参考の形態によれば、保持部３４の載置面３４ａ上には配線パターン６１のみを形成するだけであって配線パターン６１に接続される素子の半田付け作業が不要となり、作業工程数が低減される。また、半田付けする際における導光部材３１に対する熱の影響をなくすことができ、導光部材３１の導光性能を良好に維持することができる。
【手続補正５４】
【補正対象書類名】明細書
【補正対象項目名】０１１２
【補正方法】変更
【補正の内容】
【０１１２】
本発明の第８の参考の形態を図１７に基づいて説明する。図１７は照明装置の構造を示す縦断正面図である。
【手続補正５５】
【補正対象書類名】明細書
【補正対象項目名】０１１３
【補正方法】変更
【補正の内容】
【０１１３】
本参考の形態では、コンタクトガラス１２上の原稿Ｄをコンタクトガラス１２の下方から照明するための照明装置８０が設けられている。そして、この照明装置８０と、照明装置８０から出射されて原稿Ｄに照射された後に原稿Ｄで反射された反射光（読取光）を受光するＣＣＤ１７（図１参照）とにより画像読取装置１３（図１参照）が形成されている。
【手続補正５６】
【補正対象書類名】明細書
【補正対象項目名】０１１４
【補正方法】変更
【補正の内容】
【０１１４】
照明装置８０の基本的な構造は第６の参考の形態（図１３及び図１４）、第７の参考の形態（図１５及び図１６）の照明装置６５、７５と同じであり、本参考の形態の照明装置８０が第６、第７の参考の形態の照明装置６５、７５と異なる部分は、本参考の形態の照明装置８０では、保持部材６６におけるＬＥＤ３２や周辺回路素子６２が軽圧入されている面の裏面側に、放熱部８１が形成されている点である。放熱部８１は、フィン形状に形成され、この照明装置８０を画像読取装置１３内に組み込んだ位置で斜め上方に延出する向きに形成されている。
【手続補正５７】
【補正対象書類名】明細書
【補正対象項目名】０１１６
【補正方法】変更
【補正の内容】
【０１１６】
本発明の第９の参考の形態を図１８に基づいて説明する。図１８は照明装置の構造を示す縦断正面図である。
【手続補正５８】
【補正対象書類名】明細書
【補正対象項目名】０１１７
【補正方法】変更
【補正の内容】
【０１１７】
本参考の形態では、コンタクトガラス１２上の原稿Ｄをコンタクトガラス１２の下方から照明するための照明装置８５が設けられている。そして、この照明装置８５と、照明装置８５から出射されて原稿Ｄに照射された後に原稿Ｄで反射された反射光（読取光）を受光するＣＣＤ１７（図１参照）とにより画像読取装置１３（図１参照）が形成されている。
【手続補正５９】
【補正対象書類名】明細書
【補正対象項目名】０１２３
【補正方法】変更
【補正の内容】
【０１２３】
また、本参考の形態によれば、専用の基板８６に配線パターン６１を形成しているので、保持部３４の載置面３４ａに配線パターンを形成するという特殊加工が不要となり、生産性を向上させることができる。
【手続補正６０】
【補正対象書類名】明細書
【補正対象項目名】０１２４
【補正方法】変更
【補正の内容】
【０１２４】
本発明の第１０の参考の形態を図１９に基づいて説明する。図１９は照明装置の構造を示す縦断正面図である。
【手続補正６１】
【補正対象書類名】明細書
【補正対象項目名】０１２５
【補正方法】変更
【補正の内容】
【０１２５】
本参考の形態では、コンタクトガラス１２上の原稿Ｄをコンタクトガラス１２の下方から照明するための照明装置９５が設けられている。そして、この照明装置９５と、照明装置９５から出射されて原稿Ｄに照射された後に原稿Ｄで反射された反射光（読取光）を受光するＣＣＤ１７（図１参照）とにより画像読取装置１３（図１参照）が形成されている。
【手続補正６２】
【補正対象書類名】明細書
【補正対象項目名】０１２６
【補正方法】変更
【補正の内容】
【０１２６】
照明装置９５の基本的な構造は第９の参考の形態の照明装置８５と同じであり、本参考の形態の照明装置９５が第９の参考の形態の照明装置８５と異なる部分は、本参考の形態の照明装置９５では、位置決めピン９６が保持部３４と一体に形成されている点である。